(57)【要約】【課題】ライブコンテンツ視聴中に視聴を一時停止し一旦ログオフした後、再度コンテンツサービスにログインして同一番組を一時停止の位置から継続して視聴する技術を提供する。【解決手段】視聴者の端末６がライブコンテンツサービスにログインしてライブコンテンツサーバ３又はミラーサーバ２３ａからライブコンテンツを受信し、録画再生サーバ４は該ライブコンテンツを録画し、視聴の中断乃至一時停止時には終了保存指示信号が端末６から送信され、ライブコンテンツサーバ３又はミラーサーバ２３ａは保持情報データを視聴継続ファイルに記録保持する。視聴者の端末７が再度ライブコンテンツサービスにログインし、認証／番組表配布サーバ５の番組表で継続番組メニューを選択し、視聴者が認証／番組表配布サーバ５により認証され、録画再生サーバ４が端末７に一時停止位置からはじまるコンテンツを再開ストリームとして再生転送する。【選択図】        図２
2005318250.tif 000002
【特許請求の範囲】
【請求項１】
ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、
視聴者の端末がライブコンテンツサービスにログインしてライブコンテンツサーバ又はミラーサーバからライブコンテンツを受信し、録画再生サーバは該ライブコンテンツを録画し、該視聴者の該端末が該受信中に視聴の中断乃至一時停止をし該ライブコンテンツサーバ又はミラーサーバのサービスから一旦ログオフした後、該視聴者が再度該ライブコンテンツサービスにログインし同一コンテンツの継続視聴を可能とするシステムであって、
中断乃至一時停止時には終了保存指示信号が該視聴者の該端末から該ライブコンテンツサーバ又はミラーサーバに送信され、該ライブコンテンツサーバ又はミラーサーバは該終了保存指示信号の受信を契機に該ライブコンテンツの配信を停止し、該コンテンツのＩＤ、番組名、視聴時間、番組残時間と該視聴者のユーザＩＤを含む端末情報と一時停止位置とを含む保持情報データを作成し視聴継続ファイルに記録保持し、
該視聴者の端末が再度該ライブコンテンツサービスにログインし、該視聴者の該端末が認証／番組表配布サーバの番組表で継続番組メニューを選択し、該視聴者が該認証／番組表配布サーバにより認証された後、該認証／番組表配布サーバが該ユーザＩＤをキーとして保持情報の有無をライブコンテンツサーバ及びミラーサーバに問い合わせ、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツＩＤ、番組名、前回視聴日時、視聴時間、番組残時間を含む一時停止番組の詳細を記載して更新し、該認証／番組表配布サーバより転送された更新後の該番組表から一時停止番組である該ライブコンテンツの再開を該視聴者の該端末が選択した場合には、認証／番組表配布サーバから該視聴者の該端末が録画配信サーバヘの接続情報及び一時停止位置よりの番組を再開させる為の情報を取得し、該視聴者の該端末は前出情報を継続オン信号として該録画再生サーバに送出し、該継続オン信号に含まれる該保持情報を基に該コンテンツを該当する一時停止位置より配信するよう該録画再生サーバに指示し、該録画再生サーバが該視聴者の該端末に該一時停止位置からはじまる該コンテンツを再開ストリームとして再生転送し、該視聴者の該端末が該コンテンツの継続的ストリームを受信することを特徴とするライブコンテンツの視聴継続システム。
【請求項２】
ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおけるライブコンテンツの視聴継続の方法であって、
視聴者の端末がライブコンテンツサービスにログインしてライブコンテンツサーバ又はミラーサーバのライブコンテンツにアクセスするステップと、
該ライブコンテンツサーバ又はミラーサーバが該視聴者の該端末に該ライブコンテンツの配信を開始するステップと、
録画再生サーバが該配信開始時点より該ライブコンテンツの録画蓄積を行うステップと、
該視聴者の該端末が該ライブコンテンツを受信中に視聴の中断乃至一時停止し該ライブコンテンツサーバ又はミラーサーバのサービスから一旦ログオフするステップと、
該中断乃至一時停止時には終了保存指示信号が該視聴者の該端末から該ライブコンテンツサーバ又はミラーサーバに送信されるステップと、
該ライブコンテンツサーバ又はミラーサーバが該終了保存指示信号の受信を契機に該ライブコンテンツの配信を停止し視聴継続ファイルに該コンテンツのＩＤ、番組名、視聴時間、番組残時間と該視聴者のユーザＩＤを含む端末情報と一時停止位置とを含む保持情報データを作成し視聴継続ファイルに記録保持するステップと、
該視聴者の端末が再度該ライブコンテンツサービスにログインするステップと、
該視聴者の該端末が認証／番組表配布サーバの番組表で継続番組メニューを選択するステップと、
該視聴者が該認証／番組表配布サーバにより認証されるステップと、
該認証／番組表配布サーバが該ユーザＩＤをキーとして保持情報の有無をライブコンテンツサーバ及びミラーサーバに問い合わせるステップと、
該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツのＩＤ、番組名、前回視聴日時、視聴時間、番組残時間を含む一時停止番組の詳細を記載して更新するステップと、
該視聴者の該端末が該更新後の番組表から一時停止番組である該ライブコンテンツの再開を選択するステップと、
該視聴者の該端末が該認証／番組表配布サーバから該録画配信サーバヘの接続情報及び一時停止位置より番組を再開させる為の情報を取得するステップと、
該視聴者の該端末は前出情報から継続オン信号を作成して送信して該継続オン信号に含まれる該保持情報を基に該コンテンツを該当する一時停止位置より配信するよう該録画再生サーバに転送指示するステップと、
該録画再生サーバが該視聴者の該端末に該一時停止位置からはじまる該番組のコンテンツを該保持情報にもとづき再開ストリームとして再生転送するステップと、
該視聴者の該端末が該コンテンツの継続的ストリームを受信するステップと、
を含むことを特徴とするライブコンテンツの視聴継続の方法。
【請求項３】
ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、
視聴者の端末がライブコンテンツサービスにログインしてライブコンテンツサーバ又はミラーサーバからライブコンテンツを受信し、録画再生サーバは該ライブコンテンツを録画し、該視聴者の端末が該受信中に視聴の中断乃至一時停止をし該ライブコンテンツサーバ又はミラーサーバのサービスから一旦ログオフした後、該視聴者が再度該ライブコンテンツサービスにログインし同一コンテンツの継続視聴を可能とするシステムであって、
中断乃至一時停止時には終了保存指示信号が該視聴者の該端末から該ライブコンテンツサーバ又はミラーサーバに送信され、該ライブコンテンツサーバ又はミラーサーバは該終了保存指示信号の受信を契機に該ライブコンテンツの配信を停止し該コンテンツのＩＤ、番組名、視聴時間、番組残時間と該視聴者のユーザＩＤを含む端末情報と一時停止位置とを含む保持情報データを作成し、該ライブコンテンツサーバ又はミラーサーバは該保持情報データを認証／番組表配布サーバに自動転送し、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新し、
該視聴者の端末が再度該ライブコンテンツサービスにログインし、該認証／番組表配布サーバの番組表で継続番組メニューを該視聴者の端末が選択し、該視聴者が該認証／番組表配布サーバにより認証された後該認証／番組表配布サーバより転送された更新後の該番組表から一時停止番組である該ライブコンテンツの再開を選択した場合には、該認証／番組表配布サーバから該視聴者の端末が録画配信サーバヘの接続情報及び一時停止位置より番組を再開させる為の情報を取得し、該視聴者の端末は前出情報を継続オン信号として該録画再生サーバに送出し、該継続オン信号に含まれる該保持情報を基に該コンテンツを該当する一時停止位置より配信するよう該録画再生サーバに指示し、該録画再生サーバが該視聴者の端末に該一時停止位置からはじまる該コンテンツを再開ストリームとして再生転送し、該視聴者の端末が該コンテンツの継続的ストリームを受信することを特徴とするライブコンテンツの視聴継続システム。
【請求項４】
ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおけるライブコンテンツの視聴継続の方法であって、
視聴者の端末がライブコンテンツサービスにログインしてライブコンテンツサーバ又はミラーサーバにアクセスするステップと、
該ライブコンテンツサーバ又はミラーサーバが該視聴者の該端末に該ライブコンテンツの配信を開始するステップと、
該録画再生サーバが該配信開始時点より該ライブコンテンツの録画蓄積を行うステップと、
該視聴者の該端末が該受信中に視聴の中断乃至一時停止をし該ライブコンテンツサーバ又はミラーサーバのサービスから一旦ログオフするステップと、
該中断乃至一時停止時には終了保存指示信号が該視聴者の該端末から該ライブコンテンツサーバ又はミラーサーバに送出されるステップと、
該ライブコンテンツサーバ又はミラーサーバは該終了保存指示信号の受信を契機に該ライブコンテンツの配信を停止し該コンテンツのＩＤ、番組名、視聴時間、番組残時間と該視聴者のユーザＩＤを含む端末情報と一時停止位置とを含む保持情報データを作成するステップと、
該ライブコンテンツサーバ又はミラーサーバは該保持情報データを認証／番組表配布サーバに自動転送するステップと、
該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新するステップと、
該視聴者の端末が再度該ライブコンテンツサービスにログインするステップと、
該視聴者の該端末が該番組表の取得の要求をするステップと、
該認証／番組表配布サーバが該番組表を該視聴者の該端末に配布するステップと、
該視聴者の該端末が該番組表で継続番組メニューを選択するステップと、
該視聴者が該認証／番組表配布サーバにより認証されるステップと、
該視聴者の該端末が該認証／番組表配布サーバより転送された更新後の該番組表から一時停止番組である該ライブコンテンツの再開を選択するステップと、
該認証／番組表配布サーバから該視聴者の該端末が録画配信サーバヘの接続情報及び一時停止位置より番組を再開させる為の情報を取得するステップと、
該視聴者の該端末は前出情報から継続オン信号を作成し送信して該継続オン信号に含まれる該保持情報を基に該コンテンツを該当する一時停止位置より配信するよう該録画再生サーバに転送指示するステップと、
該録画再生サーバが該視聴者の該端末に該一時停止位置からはじまる該コンテンツを再開ストリームとして再生転送するステップと、
該視聴者の該端末が該コンテンツの継続的ストリームを受信するステップと、
を含むことを特徴とするライブコンテンツの視聴継続の方法。
【請求項５】
ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、
視聴者の端末がライブコンテンツサービスにログインしてライブコンテンツサーバ又はミラーサーバからライブコンテンツを受信し、録画再生サーバは該ライブコンテンツを録画し、該視聴者の端末が該受信中に視聴の中断乃至一時停止をし該ライブコンテンツサーバ又はミラーサーバのサービスから一旦ログオフした後、該視聴者が再度該ライブコンテンツサービスにログインし同一コンテンツの継続視聴を可能とするシステムであって、
中断乃至一時停止時には該コンテンツのＩＤと番組名、視聴時間、番組残時間と該視聴者のユーザＩＤを含む端末情報と一時停止位置とを含む保持情報データが該視聴者の端末から該ライブコンテンツサーバ又はミラーサーバに送信され、
該保持情報データを受信した該ライブコンテンツサーバ又はミラーサーバは該ライブコンテンツの配信を停止し視聴継続ファイルに該保持情報データを記録保持し、該視聴者の端末が再度該ライブコンテンツサービスにログインし、該視聴者の該端末は認証／番組表配布サーバの番組表で継続番組メニューを選択し、該視聴者が該認証／番組表配布サーバにより認証された後、該認証／番組表配布サーバが該ユーザＩＤをキーとして保持情報の有無をライブコンテンツサーバ及びミラーサーバに問い合わせ、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツＩＤ、番組名、前回視聴日時、視聴時間、番組残時間を含む一時停止番組の詳細を記載して更新し、該認証／番組表配布サーバより転送された更新後の該番組表から一時停止番組である該ライブコンテンツの再開を該視聴者の該端末が選択した場合には、認証／番組表配布サーバから該視聴者の該端末が録画配信サーバヘの接続情報及び一時停止位置よりの番組を再開させる為の情報を取得し、該視聴者の該端末は前出情報から継続オン信号を作成して該録画再生サーバに送出して該継続オン信号に含まれる該保持情報を基に該コンテンツを該当する一時停止位置より配信するよう該録画再生サーバに指示し、該録画再生サーバが該視聴者の該端末に該一時停止位置からはじまる該コンテンツを再開ストリームとして再生転送し、該視聴者の該端末が該コンテンツの継続的ストリームを受信する、又は、
該保持情報データを受信した該ライブコンテンツサーバ又はミラーサーバは該ライブコンテンツの配信を停止し該保持情報データを自動モード切替機能により該認証／番組表配布サーバに自動転送し、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新し、該視聴者の端末が再度該ライブコンテンツサービスにログインし、該視聴者の該端末が該認証／番組表配布サーバの該番組表で継続番組メニューを選択し、該視聴者が該認証／番組表配布サーバにより認証された後該認証／番組表配布サーバより転送された更新後の該番組表から一時停止番組である該ライブコンテンツの再開を選択した場合には、該認証／番組表配布サーバから該視聴者の該端末が録画配信サーバヘの接続情報及び一時停止位置より番組を再開させる為の情報を取得し、該視聴者の該端末は前出情報から継続オン信号を作成して該録画再生サーバに送出し、該継続オン信号に含まれる該保持情報を基に該コンテンツを該当する一時停止位置より配信するよう該録画再生サーバに指示し、該録画再生サーバが該端末に該一時停止位置からはじまる該コンテンツを再開ストリームとして再生転送し、該視聴者の該端末が該コンテンツの継続的をストリーム受信することを特徴とするライブコンテンツの視聴継続システム。
【請求項６】
ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおけるライブコンテンツの視聴継続の方法であって、
視聴者の端末がライブコンテンツサービスにログインしてライブコンテンツサーバ又はミラーサーバにアクセスするステップと、
該ライブコンテンツサーバ又はミラーサーバが該視聴者の該端末に該ライブコンテンツの配信を開始するステップと、
録画再生サーバが該配信開始時点より該ライブコンテンツを録画蓄積するステップと、該視聴者の該端末が該受信中に視聴の中断乃至一時停止をし該ライブコンテンツサーバ又はミラーサーバのサービスから一旦ログオフするステップと、
該中断乃至一時停止時には該コンテンツのＩＤ、番組名、視聴時間、番組残時間と該視聴者のユーザＩＤを含む端末情報と一時停止位置とを含む保持情報データが該端末から該ライブコンテンツサーバ又はミラーサーバに送出されるステップと、
該ライブコンテンツサーバ又はミラーサーバが該保持情報データの受信を契機に該ライブコンテンツの配信を停止し視聴継続ファイルに該保持情報データを記録保持するステップと、該視聴者の端末が再度該ライブコンテンツサービスにログインするステップと、該視聴者の該端末が認証／番組表配布サーバの番組表で継続番組メニューを選択するステップと、該視聴者が該認証／番組表配布サーバにより認証されるステップと、該認証／番組表配布サーバが該ユーザＩＤをキーとして保持情報の有無をライブコンテンツサーバ及びミラーサーバに問い合わせるステップと、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツのＩＤ、番組名、前回視聴日時、視聴時間、番組残時間を含む一時停止番組の詳細を記載して更新するステップと、該視聴者の該端末が該認証／番組表配布サーバより転送された更新後の該番組表から一時停止番組である該ライブコンテンツの再開を選択するステップと、該認証／番組表配布サーバから該視聴者の該端末が録画配信サーバヘの接続情報及び一時停止位置よりの番組を再開させる為の情報を取得するステップと、該視聴者の該端末は前出情報から継続オン信号を作成して送信して該継続オン信号に含まれる該保持情報を基に該コンテンツを該当する一時停止位置より配信するよう該録画再生サーバに転送指示するステップと、該録画再生サーバが該視聴者の該端末に該一時停止位置からはじまる該番組のコンテンツを該一時停止位置よりの番組を再開させる為の情報にもとづき再開ストリームとして再生転送するステップと、該視聴者の該端末が該コンテンツの継続的ストリームを受信するステップと、又は、
該ライブコンテンツサーバ又はミラーサーバが該保持情報データの受信を契機に該ライブコンテンツの配信を停止し該保持情報データを自動モード切替機能により該認証／番組表配布サーバに自動転送するステップと、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新するステップと、該視聴者の端末が再度該ライブコンテンツサービスにログインするステップと、該視聴者の該端末が該番組表の取得の要求をするステップと、該認証／番組表配布サーバが該番組表を該視聴者の端末に配布するステップと、該視聴者の該端末が該番組表で継続番組メニューを選択するステップと、該視聴者が該認証／番組表配布サーバにより認証されるステップと、該視聴者の端末が該認証／番組表配布サーバより転送された更新後の該番組表から一時停止番組である該ライブコンテンツの再開を選択するステップと、該認証／番組表配布サーバから該視聴者の該端末が録画配信サーバヘの接続情報及び一時停止位置よりの番組を再開させる為の情報を取得して継続オン信号を作成し該継続オン信号に含まれる該一時停止位置よりの番組を再開させる為の情報を基に該コンテンツを該当する一時停止位置より配信するよう該録画再生サーバに転送指示するステップと、該録画再生サーバが該視聴者の該端末に該一時停止位置からはじまる該コンテンツを再開ストリームとして再生転送するステップと、該視聴者の該端末が該コンテンツの継続的ストリームを受信するステップとを含むことを特徴とするライブコンテンツの視聴継続の方法。
【請求項７】
請求項１に記載のライブコンテンツの視聴継続システム又は請求項２に記載のライブコンテンツの視聴継続の方法におけるライブコンテンツサーバ装置であって、
端末の要求に応じて、視聴者の認証後ライブコンテンツを該視聴者の端末にストリーミングサービスする手段と、
該端末が該ライブコンテンツを受信中に視聴を中断乃至一時停止をした時に送信する終了保存指示信号を受信する手段と、
該受信を契機に該ライブコンテンツの配信を停止する手段と、
該受信を契機に保持情報データを作成する手段と、
視聴継続ファイルに該保持情報データを記録保持する手段と、
該コンテンツのＩＤ、番組名、視聴時間、番組残時間と該視聴者のユーザＩＤとを含む端末情報と一時停止位置とを含む該保持情報データの有無についての該ユーザＩＤをキーとする問い合わせを認証／番組表サーバから受信する手段と、
該問い合わせに対する回答として該保持情報保持の有無及び該保持情報を該認証／番組表配布サーバに転送する手段と、
端末からの再アクセスによる視聴継続時にはライブコンテンツ録画再生サーバからのストリーミング配信を該端末に中継転送する手段と、
を備えることを特徴とするライブコンテンツサーバ装置。
【請求項８】
請求項３に記載のライブコンテンツの視聴継続システム又は請求項４に記載のライブコンテンツの視聴継続の方法におけるライブコンテンツサーバ装置であって、
端末の要求に応じて、視聴者の認証後ライブコンテンツを該視聴者の端末にストリーミングサービスする手段と、
該端末が該ライブコンテンツを受信中に視聴を中断乃至一時停止をした時に送信する終了保存指示データを受信する手段と、
該受信を契機に該ライブコンテンツの配信を停止する手段と、
該受信を契機に保持情報データを作成する手段と、
該コンテンツのＩＤ、番組名、視聴時間、番組残時間と該視聴者のユーザＩＤを含む端末情報と一時停止位置とを含む該保持情報データを認証／番組表配布サーバに自動転送する手段と、
端末の再アクセスによる視聴継続時にはライブコンテンツ録画再生サーバからのストリーミング配信を該端末に中継転送する手段と、
を備えることを特徴とするライブコンテンツサーバ装置。
【請求項９】
請求項５に記載のライブコンテンツの視聴継続システム又は請求項６に記載のライブコンテンツの視聴継続の方法におけるライブコンテンツサーバであって、
端末の要求に応じて、視聴者の認証後ライブコンテンツを該視聴者の端末にストリーミングサービスする手段と、
該端末が該ライブコンテンツを受信中に視聴を中断乃至一時停止をした時に送信する保持情報データを受信する手段と、
該受信を契機に該ライブコンテンツの配信を停止する手段と、
視聴継続ファイルに該保持情報データを記録保持する手段と、又は、
該保持情報データを自動モード切替機能により認証／番組表サーバに自動転送する手段と、
端末の再アクセスによる視聴継続時にはライブコンテンツ録画再生サーバからのストリーミング配信を該端末に中継転送する手段と、
を備えることを特徴とするライブコンテンツサーバ装置。
【請求項１０】
請求項１に記載のライブコンテンツの視聴継続システム又は請求項２に記載のライブコンテンツの視聴継続の方法におけるミラーサーバ装置であって、
コンテンツ配信網経由でライブコンテンツサーバに接続し、常時該ライブコンテンツサーバと同じサービスを提供する手段と、
最寄の端末からのアクセスに応じてライブコンテンツのストリーミングサービスをする手段と、
該ストリーミングサービスの中断乃至一時停止時には該端末から送信される終了保存指示データを受信する手段と、
該終了保存指示データの受信を契機に該ライブコンテンツの配信を停止する手段と、
該コンテンツのＩＤと該ユーザＩＤを含む端末情報と一時停止位置とを含む保持情報データを作成し視聴継続ファイルに記録保持する手段と、
該ユーザＩＤをキーとして保持情報の有無の問い合わせを認証／番組表サーバから受信する手段と、
該保持情報保持の有無及び該保持情報を該認証／番組表配布サーバに転送する手段と、
端末からの再アクセスによる視聴継続時にはライブコンテンツ録画再生サーバからのストリーミング配信を該端末に中継転送する手段と、
を備えることを特徴とするミラーサーバ装置。
【請求項１１】
請求項３に記載のライブコンテンツの視聴継続システム又は請求項４に記載のライブコンテンツの視聴継続の方法におけるミラーサーバ装置あって、
コンテンツ配信網経由でライブコンテンツサーバに接続し、常時該ライブコンテンツサーバと同じサービスを提供する手段と、
最寄の端末からのアクセスに応じてライブコンテンツのストリーミングサービスをする手段と、
該端末が該ライブコンテンツを視聴中に視聴を中断乃至一時停止をした時に送信する終了保存指示データを受信する手段と、
該終了保存指示データの受信を契機に該ライブコンテンツの配信を停止する手段と、
該コンテンツのＩＤと番組名、視聴時間、番組残時間と該ユーザＩＤを含む端末情報と一時停止位置とを含む保持情報データを作成する手段と、
該保持情報データを認証／番組表配布サーバに自動転送する手段と、
端末の再アクセスによる視聴継続時にはライブコンテンツ録画再生サーバからのストリーミング配信を該端末に中継転送する手段と、
を備えることを特徴とするミラーサーバ装置。
【請求項１２】
請求項５記載のライブコンテンツの視聴継続システム又は請求項６記載のライブコンテンツの視聴継続の方法におけるミラーサーバ装置であって、
コンテンツ配信網経由でライブコンテンツサーバに接続し、常時該ライブコンテンツサーバと同じサービスを提供する手段と、
最寄の端末からのアクセスに応じてライブコンテンツのストリーミングサービスをする手段と、
該アクセスした端末が送信した保持情報データを受信した後ファイルに記録保持する手段と、該保持情報には番組名、視聴時間、番組残時間とユーザＩＤを含む該端末情報と該コンテンツのＩＤと一時停止位置が含まれ認証／番組表サーバからのユーザＩＤをキーとする保持情報の有無の問い合わせを受信する手段と、該保持情報保持の有無及び該保持情報を該認証／番組表配布サーバに転送する手段と、又は、
該アクセスした視聴者の端末が送信した保持情報データを受信した後該保持情報データを該認証／番組表サーバに自動転送する手段と、
該アクセスによる視聴継続時にはライブコンテンツ録画再生サーバからのストリーミング配信を該端末に中継転送する手段と、
を備えることを特徴とするミラーサーバ装置。
【請求項１３】
請求項１、３もしくは５に記載のライブコンテンツの視聴継続システム又は請求項２、４もしくは６に記載のライブコンテンツの視聴継続の方法における録画再生サーバ装置であって、
ライブコンテンツサーバ又はミラーサーバが視聴者の端末にストリーミングサービスとして提供するコンテンツを録画する手段と、
その後該視聴者の端末が再度該コンテンツにアクセスした場合に該視聴者の端末の転送指示により一時中止をした位置より該録画したコンテンツを再生する手段と、
該端末に該再生したコンテンツを転送配信する手段と、
を備えることを特徴とする録画再生サーバ装置。
【請求項１４】
請求項１もしくは５に記載のライブコンテンツの視聴継続システム又は請求項２もしくは６に記載のライブコンテンツの視聴継続の方法における認証／番組表配布サーバ装置であって、
ライブコンテンツサーバ及びミラーサーバがコンテンツを配信する視聴者を認証する手段と、
ライブコンテンツサーバ及びミラーサーバが保持する保持情報の有無を問い合わせる手段と、
該問い合わせに対するライブコンテンツサーバ及びミラーサーバの回答を受信する手段と、
該回答をもとに該保持情報をファイルし番組表を更新する手段と、
認証済みの端末に視聴継続のための該更新済の番組コンテンツを配布する手段と、
該端末からの継続オン信号を受信する手段と、
該継続オン信号に対応する保持情報にもとづきコンテンツを該当する一時停止位置より再生配信する配信ルート及び該保持情報にもとづく録画再生サーバヘの転送指示情報を該端末に提供する手段と、
を備えることを特徴とする認証／番組表配布サーバ装置。
【請求項１５】
請求項３もしくは５に記載のライブコンテンツの視聴継続システム又は請求項４もしくは６に記載のライブコンテンツの視聴継続の方法における認証／番組表配布サーバの装置であって、
ライブコンテンツサーバ及びミラーサーバがコンテンツを配信する視聴者を認証する手段と、
ライブコンテンツサーバ又はミラーサーバから転送される保持情報をもとに該保持情報をファイルし番組表を更新する手段と、
認証済みの端末に該番組表を配布する手段と、
該端末からの継続オン信号を受信する手段と、
該継続オン信号に対応する保持情報にもとづきコンテンツを該当する一時停止位置より再生配信する配信ルート及び該保持情報にもとづく録画再生サーバヘの転送指示情報を該端末に提供する手段と、
を備えることを特徴とする認証／番組表配布サーバ装置。
【請求項１６】
請求項１もしくは３に記載のライブコンテンツの視聴継続システム又は請求項２もしくは４に記載のライブコンテンツの視聴継続の方法における端末装置であって、
ライブコンテンツストリーミングサービスを受信する手段と、
ライブコンテンツストリーミングの受信中に中断乃至一時停止時にはユーザＩＤと該コンテンツのＩＤと画像表示方式に関わる画面サイズや画面品質情報と通信方式に関わるデータ受信性能情報を含む終了保存指示データを作成する手段と、
該終了保存指示データを該ライブコンテンツサーバ又はミラーサーバに送出する手段と、
再度該ライブコンテンツストリーミングサービスに端末経由でログインした該視聴者が番組表の取得の要求をする手段と、
端末経由で該視聴者が認証／番組表配布サーバにより認証される手段と、
該認証／番組表配布サーバが配布する該番組表の視聴継続情報を受信する手段と、
該端末上で該視聴者が該番組表を見て一時停止番組の再視聴を要求する継続オン信号を該認証／番組表配布サーバに送信する手段と、
該端末が該認証／番組表配布サーバより送信された転送指示情報を受信する手段と、
該継続オン信号に対応する保持情報にもとづきコンテンツを該当する一時停止位置より再生配信する配信ルート及び該保持情報にもとづく録画再生方法を該端末が録画再生サーバヘ指示する手段と、
該録画再生サーバが該端末に該一時停止の位置からはじまる該コンテンツを該保持情報にもとづき再開ストリームにて再生転送する該再開ストリームを受信する手段と、
を備えることを特徴とする端末装置。
【請求項１７】
請求項５記載のライブコンテンツの視聴継続システム又は請求項６に記載のライブコンテンツの視聴継続の方法における端末装置であって、
ライブコンテンツストリーミングサービスを受信する手段と、
ライブコンテンツストリーミングの受信中に中断乃至一時停止時にはユーザＩＤと該コンテンツのＩＤと番組名、視聴時間、番組残時間と一時停止位置と画像表示方式に関わる画面サイズや画面品質情報と通信方式に関わるデータ受信性能情報を含む保持情報データを作成する手段と、
該保持情報を該ライブコンテンツサーバに送出する手段と、
再度該ライブコンテンツサービスに端末経由でログインする手段と、
該端末が番組表の取得の要求をする手段と、
該視聴者が認証／番組表配布サーバにより認証される手段と、
該認証／番組表配布サーバが配布する該番組表の視聴継続情報を受信する手段と、
該端末上で該視聴者が該番組表を見て一時停止番組の再視聴を要求する継続オン信号を送信する手段と、
該端末が該認証／番組表配布サーバより送信された転送指示情報を受信する手段と、
該継続オン信号に対応する保持情報にもとづきコンテンツを該当する一時停止位置より再生配信する配信ルート及び該保持情報にもとづく録画再生方法を該端末が録画再生サーバヘ指示する手段と、
該録画再生サーバが該端末に該一時停止の位置からはじまる該コンテンツを該保持情報にもとづき再開ストリームにて再生転送する該再開ストリームを受信する手段と、
を備えることを特徴とする端末装置。
【請求項１８】
請求項１４又は１５に記載の認証／番組表配布サーバ装置であって、
番組表の指定コンテンツのメニュー画面上に、一時停止した時点より前の複数のシーンに関する情報を時系列に沿って表示する手段と、
視聴者に該画面上で好みの時系列を指示させる手段と、
を備え、該時系列上の特定時点より再生コンテンツを視聴可能とすることを特徴とする認証／番組表配布サーバ装置。
【請求項１９】
請求項７又は９に記載のライブコンテンツサーバ装置であって、視聴継続ファイルに保持している保持情報に関して保持開始した時刻から一定時間経過しても、該コンテンツの視聴再開のアクセスが認証／番組表配布サーバ経由でない場合には該保持情報を削除する手段を備えることを特徴とするライブコンテンツサーバ装置。
【請求項２０】
請求項１０又は１２に記載のミラーサーバ装置であって、視聴継続ファイルに保持している保持情報に関して保持開始した時刻から一定時間経過しても、該コンテンツの視聴再開のアクセスが認証／番組表配布サーバ経由でない場合には該保持情報を削除する手段を備えることを特徴とするミラーサーバ装置。
【請求項２１】
請求項２、４又は６に記載のライブコンテンツの視聴継続の方法を実現するコンピュータプログラムであって、請求項２、４又は６に記載の各ステップをコンピュータに実行させるためのプログラム。
【請求項２２】
請求項７乃至２０のうちいずれか１項に記載の各手段としてコンピュータを機能させるためのプログラム。
【発明の詳細な説明】
【技術分野】
【０００１】
本発明はライブコンテンツ視聴中に、視聴者の意図により、あるいはシステム障害、あるいは端末の不都合により、視聴を一時停止し、ライブコンテンツサービスから、一旦、ログオフした後、同一番組を継続して視聴することを可能とするライブコンテンツサービス技術分野に属する。
【背景技術】
【０００２】
従来の技術では、ライブコンテンツの視聴を一時停止し、ライブコンテンツサービスから、一旦、ログオフした後、同一番組を継続して視聴することは出来なかった。
【０００３】
非特許文献１に、ライブコンテンツ視聴時において、配信サーバの蓄積機能を利用した特殊再生、タイムシフトについての記述がある。しかしライブコンテンツ番組の視聴を一時停止しライブコンテンツサービスから一旦ログオフした後、同一番組を一時停止位置から継続して視聴することを可能とするライブコンテンツサービスに関して言及するものではない。
【０００４】
特許文献１（再生装置および方法、配信装置および方法、コンテンツデータ配信システム、記録媒体、並びにプログラム）には再生装置を用いた前回の停止位置からのコンテンツデータ再生再開機能が公開になっている。しかしライブコンテンツ番組の視聴を一時停止しライブコンテンツサービスから一旦ログオフした後、同一番組を継続して視聴することを可能とするライブコンテンツサービスに関して言及するものではない。
【０００５】
特許文献２（映像再視聴システム、映像再視聴方法、この方法のプログラム、およびこのプログラムを記録した記録媒体）では映像シーンをユーザが予約して再視聴が可能としている。しかしライブコンテンツ番組の視聴を一時停止しライブコンテンツサービスから一旦ログオフした後、同一番組を継続して視聴することを可能とするライブコンテンツサービスに関して言及するものではない。
【０００６】
【非特許文献１】アプライアンスインターフェース検討会、基本接続ＷＧ（ＷＧｌ）、「ＷＧｌ活動報告書〜付録〜」、２００３年５月３０日、第１．０版、１３／５８頁−１４／５８頁
【特許文献１】特開２００３−１７４６３６号公報
【特許文献２】特開２００３−２３４９８９号公報
【発明の開示】
【発明が解決しようとする課題】
【０００７】
本発明の課題はライブコンテンツ視聴中に、視聴者の意図により、あるいはシステム障害、あるいは端末の不都合により、視聴を一時停止し、ライブコンテンツサービスから一旦ログオフした後、再度該コンテンツサービスにログインして同一番組を一時停止の位置から継続して視聴することである。
【課題を解決するための手段】
【０００８】
第１の発明は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、視聴者の端末がライブコンテンツサービスにログインしてライブコンテンツサーバ又はミラーサーバからライブコンテンツを受信し、録画再生サーバは該ライブコンテンツを録画し、該視聴者の該端末が該受信中に視聴の中断乃至一時停止をし該ライブコンテンツサーバ又はミラーサーバのサービスから一旦ログオフした後、該視聴者が再度該ライブコンテンツサービスにログインし同一コンテンツの継続視聴を可能とするシステムであって、中断乃至一時停止時には終了保存指示信号が該視聴者の該端末から該ライブコンテンツサーバ又はミラーサーバに送信され、該ライブコンテンツサーバ又はミラーサーバは該終了保存指示信号の受信を契機に該ライブコンテンツの配信を停止し、該コンテンツのＩＤ、番組名、視聴時間、番組残時間と該視聴者のユーザＩＤを含む端末情報と一時停止位置とを含む保持情報データを作成し視聴継続ファイルに記録保持し、該視聴者の端末が再度該ライブコンテンツサービスにログインし、該視聴者の該端末が認証／番組表配布サーバの番組表で継続番組メニューを選択し、該視聴者が該認証／番組表配布サーバにより認証された後、該認証／番組表配布サーバが該ユーザＩＤをキーとして保持情報の有無をライブコンテンツサーバ及びミラーサーバに問い合わせ、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツＩＤ、番組名、前回視聴日時、視聴時間、番組残時間を含む一時停止番組の詳細を記載して更新し、該認証／番組表配布サーバより転送された更新後の該番組表から一時停止番組である該ライブコンテンツの再開を該視聴者の該端末が選択した場合には、認証／番組表配布サーバから該視聴者の該端末が録画配信サーバヘの接続情報及び一時停止位置よりの番組を再開させる為の情報を取得し、該視聴者の該端末は前出情報を継続オン信号として該録画再生サーバに送出し、該継続オン信号に含まれる該保持情報を基に該コンテンツを該当する一時停止位置より配信するよう該録画再生サーバに指示し、該録画再生サーバが該視聴者の該端末に該一時停止位置からはじまる該コンテンツを再開ストリームとして再生転送し、該視聴者の該端末が該コンテンツの継続的ストリームを受信することを特徴とする。
【０００９】
第２の発明は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおけるライブコンテンツの視聴継続の方法であって、視聴者の端末がライブコンテンツサービスにログインしてライブコンテンツサーバ又はミラーサーバのライブコンテンツにアクセスするステップと、該ライブコンテンツサーバ又はミラーサーバが該視聴者の該端末に該ライブコンテンツの配信を開始するステップと、録画再生サーバが該配信開始時点より該ライブコンテンツの録画蓄積を行うステップと、該視聴者の該端末が該ライブコンテンツを受信中に視聴の中断乃至一時停止し該ライブコンテンツサーバ又はミラーサーバのサービスから一旦ログオフするステップと、該中断乃至一時停止時には終了保存指示信号が該視聴者の該端末から該ライブコンテンツサーバ又はミラーサーバに送信されるステップと、該ライブコンテンツサーバ又はミラーサーバが該終了保存指示信号の受信を契機に該ライブコンテンツの配信を停止し視聴継続ファイルに該コンテンツのＩＤ、番組名、視聴時間、番組残時間と該視聴者のユーザＩＤを含む端末情報と一時停止位置とを含む保持情報データを作成し視聴継続ファイルに記録保持するステップと、該視聴者の端末が再度該ライブコンテンツサービスにログインするステップと、該視聴者の該端末が認証／番組表配布サーバの番組表で継続番組メニューを選択するステップと、該視聴者が該認証／番組表配布サーバにより認証されるステップと、該認証／番組表配布サーバが該ユーザＩＤをキーとして保持情報の有無をライブコンテンツサーバ及びミラーサーバに問い合わせるステップと、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツのＩＤ、番組名、前回視聴日時、視聴時間、番組残時間を含む一時停止番組の詳細を記載して更新するステップと、該視聴者の該端末が該更新後の番組表から一時停止番組である該ライブコンテンツの再開を選択するステップと、該視聴者の該端末が該認証／番組表配布サーバから該録画配信サーバヘの接続情報及び一時停止位置より番組を再開させる為の情報を取得するステップと、該視聴者の該端末は前出情報から継続オン信号を作成して送信して該継続オン信号に含まれる該保持情報を基に該コンテンツを該当する一時停止位置より配信するよう該録画再生サーバに転送指示するステップと、該録画再生サーバが該視聴者の該端末に該一時停止位置からはじまる該番組のコンテンツを該保持情報にもとづき再開ストリームとして再生転送するステップと、該視聴者の該端末が該コンテンツの継続的ストリームを受信するステップと、を含むことを特徴とする。
【００１０】
第３の発明は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、視聴者の端末がライブコンテンツサービスにログインしてライブコンテンツサーバ又はミラーサーバからライブコンテンツを受信し、録画再生サーバは該ライブコンテンツを録画し、該視聴者の端末が該受信中に視聴の中断乃至一時停止をし該ライブコンテンツサーバ又はミラーサーバのサービスから一旦ログオフした後、該視聴者が再度該ライブコンテンツサービスにログインし同一コンテンツの継続視聴を可能とするシステムであって、中断乃至一時停止時には終了保存指示信号が該視聴者の該端末から該ライブコンテンツサーバ又はミラーサーバに送信され、該ライブコンテンツサーバ又はミラーサーバは該終了保存指示信号の受信を契機に該ライブコンテンツの配信を停止し該コンテンツのＩＤ、番組名、視聴時間、番組残時間と該視聴者のユーザＩＤを含む端末情報と一時停止位置とを含む保持情報データを作成し、該ライブコンテンツサーバ又はミラーサーバは該保持情報データを認証／番組表配布サーバに自動転送し、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新し、該視聴者の端末が再度該ライブコンテンツサービスにログインし、該認証／番組表配布サーバの番組表で継続番組メニューを該視聴者の端末が選択し、該視聴者が該認証／番組表配布サーバにより認証された後該認証／番組表配布サーバより転送された更新後の該番組表から一時停止番組である該ライブコンテンツの再開を選択した場合には、該認証／番組表配布サーバから該視聴者の端末が録画配信サーバヘの接続情報及び一時停止位置より番組を再開させる為の情報を取得し、該視聴者の端末は前出情報を継続オン信号として該録画再生サーバに送出し、該継続オン信号に含まれる該保持情報を基に該コンテンツを該当する一時停止位置より配信するよう該録画再生サーバに指示し、該録画再生サーバが該視聴者の端末に該一時停止位置からはじまる該コンテンツを再開ストリームとして再生転送し、該視聴者の端末が該コンテンツの継続的ストリームを受信することを特徴とする。
【００１１】
第４の発明は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおけるライブコンテンツの視聴継続の方法であって、視聴者の端末がライブコンテンツサービスにログインしてライブコンテンツサーバ又はミラーサーバにアクセスするステップと、該ライブコンテンツサーバ又はミラーサーバが該視聴者の該端末に該ライブコンテンツの配信を開始するステップと、該録画再生サーバが該配信開始時点より該ライブコンテンツの録画蓄積を行うステップと、該視聴者の該端末が該受信中に視聴の中断乃至一時停止をし該ライブコンテンツサーバ又はミラーサーバのサービスから一旦ログオフするステップと、該中断乃至一時停止時には終了保存指示信号が該視聴者の該端末から該ライブコンテンツサーバ又はミラーサーバに送出されるステップと、該ライブコンテンツサーバ又はミラーサーバは該終了保存指示信号の受信を契機に該ライブコンテンツの配信を停止し該コンテンツのＩＤ、番組名、視聴時間、番組残時間と該視聴者のユーザＩＤを含む端末情報と一時停止位置とを含む保持情報データを作成するステップと、該ライブコンテンツサーバ又はミラーサーバは該保持情報データを認証／番組表配布サーバに自動転送するステップと、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新するステップと、該視聴者の端末が再度該ライブコンテンツサービスにログインするステップと、該視聴者の該端末が該番組表の取得の要求をするステップと、該認証／番組表配布サーバが該番組表を該視聴者の該端末に配布するステップと、該視聴者の該端末が該番組表で継続番組メニューを選択するステップと、該視聴者が該認証／番組表配布サーバにより認証されるステップと、該視聴者の該端末が該認証／番組表配布サーバより転送された更新後の該番組表から一時停止番組である該ライブコンテンツの再開を選択するステップと、該認証／番組表配布サーバから該視聴者の該端末が録画配信サーバヘの接続情報及び一時停止位置より番組を再開させる為の情報を取得するステップと、該視聴者の該端末は前出情報から継続オン信号を作成し送信して該継続オン信号に含まれる該保持情報を基に該コンテンツを該当する一時停止位置より配信するよう該録画再生サーバに転送指示するステップと、該録画再生サーバが該視聴者の該端末に該一時停止位置からはじまる該コンテンツを再開ストリームとして再生転送するステップと、該視聴者の該端末が該コンテンツの継続的ストリームを受信するステップと、を含むことを特徴とする。
【００１２】
第５の発明は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、視聴者の端末がライブコンテンツサービスにログインしてライブコンテンツサーバ又はミラーサーバからライブコンテンツを受信し、録画再生サーバは該ライブコンテンツを録画し、該視聴者の端末が該受信中に視聴の中断乃至一時停止をし該ライブコンテンツサーバ又はミラーサーバのサービスから一旦ログオフした後、該視聴者が再度該ライブコンテンツサービスにログインし同一コンテンツの継続視聴を可能とするシステムであって、中断乃至一時停止時には該コンテンツのＩＤと番組名、視聴時間、番組残時間と該視聴者のユーザＩＤを含む端末情報と一時停止位置とを含む保持情報データが該視聴者の端末から該ライブコンテンツサーバ又はミラーサーバに送信され、該保持情報データを受信した該ライブコンテンツサーバ又はミラーサーバは該ライブコンテンツの配信を停止し視聴継続ファイルに該保持情報データを記録保持し、該視聴者の端末が再度該ライブコンテンツサービスにログインし、該視聴者の該端末は認証／番組表配布サーバの番組表で継続番組メニューを選択し、該視聴者が該認証／番組表配布サーバにより認証された後、該認証／番組表配布サーバが該ユーザＩＤをキーとして保持情報の有無をライブコンテンツサーバ及びミラーサーバに問い合わせ、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツＩＤ、番組名、前回視聴日時、視聴時間、番組残時間を含む一時停止番組の詳細を記載して更新し、該認証／番組表配布サーバより転送された更新後の該番組表から一時停止番組である該ライブコンテンツの再開を該視聴者の該端末が選択した場合には、認証／番組表配布サーバから該視聴者の該端末が録画配信サーバヘの接続情報及び一時停止位置よりの番組を再開させる為の情報を取得し、該視聴者の該端末は前出情報から継続オン信号を作成して該録画再生サーバに送出して該継続オン信号に含まれる該保持情報を基に該コンテンツを該当する一時停止位置より配信するよう該録画再生サーバに指示し、該録画再生サーバが該視聴者の該端末に該一時停止位置からはじまる該コンテンツを再開ストリームとして再生転送し、該視聴者の該端末が該コンテンツの継続的ストリームを受信する、又は、該保持情報データを受信した該ライブコンテンツサーバ又はミラーサーバは該ライブコンテンツの配信を停止し該保持情報データを自動モード切替機能により該認証／番組表配布サーバに自動転送し、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新し、該視聴者の端末が再度該ライブコンテンツサービスにログインし、該視聴者の該端末が該認証／番組表配布サーバの該番組表で継続番組メニューを選択し、該視聴者が該認証／番組表配布サーバにより認証された後該認証／番組表配布サーバより転送された更新後の該番組表から一時停止番組である該ライブコンテンツの再開を選択した場合には、該認証／番組表配布サーバから該視聴者の該端末が録画配信サーバヘの接続情報及び一時停止位置より番組を再開させる為の情報を取得し、該視聴者の該端末は前出情報から継続オン信号を作成して該録画再生サーバに送出し、該継続オン信号に含まれる該保持情報を基に該コンテンツを該当する一時停止位置より配信するよう該録画再生サーバに指示し、該録画再生サーバが該端末に該一時停止位置からはじまる該コンテンツを再開ストリームとして再生転送し、該視聴者の該端末が該コンテンツの継続的をストリーム受信することを特徴とする。
【００１３】
第６の発明は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおけるライブコンテンツの視聴継続の方法であって、視聴者の端末がライブコンテンツサービスにログインしてライブコンテンツサーバ又はミラーサーバにアクセスするステップと、該ライブコンテンツサーバ又はミラーサーバが該視聴者の該端末に該ライブコンテンツの配信を開始するステップと、録画再生サーバが該配信開始時点より該ライブコンテンツを録画蓄積するステップと、該視聴者の該端末が該受信中に視聴の中断乃至一時停止をし該ライブコンテンツサーバ又はミラーサーバのサービスから一旦ログオフするステップと、該中断乃至一時停止時には該コンテンツのＩＤ、番組名、視聴時間、番組残時間と該視聴者のユーザＩＤを含む端末情報と一時停止位置とを含む保持情報データが該端末から該ライブコンテンツサーバ又はミラーサーバに送出されるステップと、該ライブコンテンツサーバ又はミラーサーバが該保持情報データの受信を契機に該ライブコンテンツの配信を停止し該保持情報データを記録保持するステップと、該視聴者の端末が再度該ライブコンテンツサービスにログインするステップと、該視聴者の該端末が認証／番組表配布サーバの番組表で継続番組メニューを選択するステップと、該視聴者が該認証／番組表配布サーバにより認証されるステップと、該認証／番組表配布サーバが該ユーザＩＤをキーとして保持情報の有無をライブコンテンツサーバ及びミラーサーバに問い合わせるステップと、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツのＩＤ、番組名、前回視聴日時、視聴時間、番組残時間を含む一時停止番組の詳細を記載して更新するステップと、該視聴者の該端末が該認証／番組表配布サーバより転送された更新後の該番組表から一時停止番組である該ライブコンテンツの再開を選択するステップと、該認証／番組表配布サーバから該視聴者の該端末が録画配信サーバヘの接続情報及び一時停止位置よりの番組を再開させる為の情報を取得するステップと、該視聴者の該端末は前出情報から継続オン信号を作成して送信して該継続オン信号に含まれる該保持情報を基に該コンテンツを該当する一時停止位置より配信するよう該録画再生サーバに転送指示するステップと、該録画再生サーバが該視聴者の該端末に該一時停止位置からはじまる該番組のコンテンツを該一時停止位置よりの番組を再開させる為の情報にもとづき再開ストリームとして再生転送するステップと、該視聴者の該端末が該コンテンツの継続的ストリームを受信するステップと、又は、該ライブコンテンツサーバ又はミラーサーバが該保持情報データの受信を契機に該ライブコンテンツの配信を停止し該保持情報データを自動モード切替機能により該認証／番組表配布サーバに自動転送するステップと、該認証／番組表配布サーバは番組表に一時停止番組有り及び該保持情報の内容であるコンテンツＩＤ、番組名、前回視聴日時、視聴時間、番組残時間を含む一時停止番組の詳細を記載して更新するステップと、該視聴者の端末が再度該ライブコンテンツサービスにログインするステップと、該視聴者の該端末が該番組表の取得の要求をするステップと、該認証／番組表配布サーバが該番組表を該視聴者の端末に配布するステップと、該視聴者の該端末が該番組表で継続番組メニューを選択するステップと、該視聴者が該認証／番組表配布サーバにより認証されるステップと、該視聴者の端末が該認証／番組表配布サーバより転送された更新後の該番組表から一時停止番組である該ライブコンテンツの再開を選択するステップと、該認証／番組表配布サーバから該視聴者の該端末が録画配信サーバヘの接続情報及び一時停止位置よりの番組を再開させる為の情報を取得して継続オン信号を作成し該継続オン信号に含まれる該一時停止位置よりの番組を再開させる為の情報を基に該コンテンツを該当する一時停止位置より配信するよう該録画再生サーバに転送指示するステップと、該録画再生サーバが該視聴者の該端末に該一時停止位置からはじまる該コンテンツを再開ストリームとして再生転送するステップと、該視聴者の該端末が該コンテンツの継続的ストリームを受信するステップとを含むことを特徴とする。
【００１４】
第７の発明は、第１の発明のライブコンテンツの視聴継続システム又は第２の発明のライブコンテンツの視聴継続の方法におけるライブコンテンツサーバ装置であって、端末の要求に応じて、視聴者の認証後ライブコンテンツを該視聴者の端末にストリーミングサービスする手段と、該端末が該ライブコンテンツを受信中に視聴を中断乃至一時停止をした時に送信する終了保存指示信号を受信する手段と、該受信を契機に該ライブコンテンツの配信を停止する手段と、該受信を契機に保持情報データを作成する手段と、視聴継続ファイルに該保持情報データを記録保持する手段と、該コンテンツのＩＤ、番組名、視聴時間、番組残時間と該視聴者のユーザＩＤとを含む端末情報と一時停止位置とを含む該保持情報データの有無についての該ユーザＩＤをキーとする問い合わせを認証／番組表サーバから受信する手段と、該問い合わせに対する回答として該保持情報保持の有無及び該保持情報を該認証／番組表配布サーバに転送する手段と、端末からの再アクセスによる視聴継続時にはライブコンテンツ録画再生サーバからのストリーミング配信を該端末に中継転送する手段と、を備えることを特徴とする。
【００１５】
第８の発明は、第３の発明のライブコンテンツの視聴継続システム又は第４の発明のライブコンテンツの視聴継続の方法におけるライブコンテンツサーバ装置であって、端末の要求に応じて、視聴者の認証後ライブコンテンツを該視聴者の端末にストリーミングサービスする手段と、該端末が該ライブコンテンツを受信中に視聴を中断乃至一時停止をした時に送信する終了保存指示データを受信する手段と、該受信を契機に該ライブコンテンツの配信を停止する手段と、該受信を契機に保持情報データを作成する手段と、該コンテンツのＩＤ、番組名、視聴時間、番組残時間と該視聴者のユーザＩＤを含む端末情報と一時停止位置とを含む該保持情報データを認証／番組表配布サーバに自動転送する手段と、端末の再アクセスによる視聴継続時にはライブコンテンツ録画再生サーバからのストリーミング配信を該端末に中継転送する手段と、を備えることを特徴とする。
【００１６】
第９の発明は、第５の発明のライブコンテンツの視聴継続システム又は第６の発明のライブコンテンツの視聴継続の方法におけるライブコンテンツサーバであって、端末の要求に応じて、視聴者の認証後ライブコンテンツを該視聴者の端末にストリーミングサービスする手段と、該端末が該ライブコンテンツを受信中に視聴を中断乃至一時停止をした時に送信する保持情報データを受信する手段と、該受信を契機に該ライブコンテンツの配信を停止する手段と、視聴継続ファイルに該保持情報データを記録保持する手段と、又は、該保持情報データを自動モード切替機能により認証／番組表サーバに自動転送する手段と、端末の再アクセスによる視聴継続時にはライブコンテンツ録画再生サーバからのストリーミング配信を該端末に中継転送する手段と、を備えることを特徴とする。
【００１７】
第１０の発明は、第１の発明のライブコンテンツの視聴継続システム又は第２の発明のライブコンテンツの視聴継続の方法におけるミラーサーバ装置であって、コンテンツ配信網経由でライブコンテンツサーバに接続し、常時該ライブコンテンツサーバと同じサービスを提供する手段と、最寄の端末からのアクセスに応じてライブコンテンツのストリーミングサービスをする手段と、該ストリーミングサービスの中断乃至一時停止時には該端末から送信される終了保存指示データを受信する手段と、該終了保存指示データの受信を契機に該ライブコンテンツの配信を停止する手段と、該コンテンツのＩＤと該ユーザＩＤを含む端末情報と一時停止位置とを含む保持情報データを作成し視聴継続ファイルに記録保持する手段と、該ユーザＩＤをキーとして保持情報の有無の問い合わせを認証／番組表サーバから受信する手段と、該保持情報保持の有無及び該保持情報を該認証／番組表配布サーバに転送する手段と、端末からの再アクセスによる視聴継続時にはライブコンテンツ録画再生サーバからのストリーミング配信を該端末に中継転送する手段と、を備えることを特徴とする。
【００１８】
第１１の発明は、第３の発明のライブコンテンツの視聴継続システム又は第４の発明のライブコンテンツの視聴継続の方法におけるミラーサーバ装置あって、コンテンツ配信網経由でライブコンテンツサーバに接続し、常時該ライブコンテンツサーバと同じサービスを提供する手段と、最寄の端末からのアクセスに応じてライブコンテンツのストリーミングサービスをする手段と、該端末が該ライブコンテンツを視聴中に視聴を中断乃至一時停止をした時に送信する終了保存指示データを受信する手段と、該終了保存指示データの受信を契機に該ライブコンテンツの配信を停止する手段と、該コンテンツのＩＤと番組名、視聴時間、番組残時間と該ユーザＩＤを含む端末情報と一時停止位置とを含む保持情報データを作成する手段と、該保持情報データを認証／番組表配布サーバに自動転送する手段と、端末の再アクセスによる視聴継続時にはライブコンテンツ録画再生サーバからのストリーミング配信を該端末に中継転送する手段と、を備えることを特徴とする。
【００１９】
第１２の発明は、第５の発明のライブコンテンツの視聴継続システム又は第６の発明のライブコンテンツの視聴継続の方法におけるミラーサーバ装置であって、コンテンツ配信網経由でライブコンテンツサーバに接続し、常時該ライブコンテンツサーバと同じサービスを提供する手段と、最寄の端末からのアクセスに応じてライブコンテンツのストリーミングサービスをする手段と、該アクセスした端末が送信した保持情報データを受信した後ファイルに記録保持する手段と、該保持情報には番組名、視聴時間、番組残時間とユーザＩＤを含む該端末情報と該コンテンツのＩＤと一時停止位置が含まれ認証／番組表サーバからのユーザＩＤをキーとする保持情報の有無の問い合わせを受信する手段と、該保持情報保持の有無及び該保持情報を該認証／番組表配布サーバに転送する手段と、又は、該アクセスした視聴者の端末が送信した保持情報データを受信した後該保持情報データを該認証／番組表サーバに自動転送する手段と、該アクセスによる視聴継続時にはライブコンテンツ録画再生サーバからのストリーミング配信を該端末に中継転送する手段と、を備えることを特徴とする。
【００２０】
第１３の発明は、第１、３もしくは５の発明のライブコンテンツの視聴継続システム又は第２、４もしくは６の発明のライブコンテンツの視聴継続の方法における録画再生サーバ装置であって、ライブコンテンツサーバ又はミラーサーバが視聴者の端末にストリーミングサービスとして提供するコンテンツを録画する手段と、その後該視聴者の端末が再度該コンテンツにアクセスした場合に該視聴者の端末の転送指示により一時中止をした位置より該録画したコンテンツを再生する手段と、該端末に該再生したコンテンツを転送配信する手段と、を備えることを特徴とする。
【００２１】
第１４の発明は、第１もしくは５の発明のライブコンテンツの視聴継続システム又は第２もしくは６の発明のライブコンテンツの視聴継続の方法における認証／番組表配布サーバ装置であって、ライブコンテンツサーバ及びミラーサーバがコンテンツを配信する視聴者を認証する手段と、ライブコンテンツサーバ及びミラーサーバが保持する保持情報の有無を問い合わせる手段と、該問い合わせに対するライブコンテンツサーバ及びミラーサーバの回答を受信する手段と、該回答をもとに該保持情報をファイルし番組表を更新する手段と、認証済みの端末に視聴継続のための該更新済の番組コンテンツを配布する手段と、該端末からの継続オン信号を受信する手段と、該継続オン信号に対応する保持情報にもとづきコンテンツを該当する一時停止位置より再生配信する配信ルート及び該保持情報にもとづく録画再生サーバヘの転送指示情報を該端末に提供する手段と、を備えることを特徴とする。
【００２２】
第１５の発明は、第３もしくは５の発明のライブコンテンツの視聴継続システム又は第４もしくは６の発明のライブコンテンツの視聴継続の方法における認証／番組表配布サーバの装置であって、ライブコンテンツサーバ及びミラーサーバがコンテンツを配信する視聴者を認証する手段と、ライブコンテンツサーバ又はミラーサーバから転送される保持情報をもとに該保持情報をファイルし番組表を更新する手段と、認証済みの端末に該番組表を配布する手段と、該端末からの継続オン信号を受信する手段と、該継続オン信号に対応する保持情報にもとづきコンテンツを該当する一時停止位置より再生配信する配信ルート及び該保持情報にもとづく録画再生サーバヘの転送指示情報を該端末に提供する手段と、を備えることを特徴とする。
【００２３】
第１６の発明は、第１もしくは３の発明のライブコンテンツの視聴継続システム又は第２もしくは４の発明のライブコンテンツの視聴継続の方法における端末装置であって、ライブコンテンツストリーミングサービスを受信する手段と、ライブコンテンツストリーミングの受信中に中断乃至一時停止時にはユーザＩＤと該コンテンツのＩＤと画像表示方式に関わる画面サイズや画面品質情報と通信方式に関わるデータ受信性能情報を含む終了保存指示データを作成する手段と、該終了保存指示データを該ライブコンテンツサーバ又はミラーサーバに送出する手段と、再度該ライブコンテンツストリーミングサービスに端末経由でログインした該視聴者が番組表の取得の要求をする手段と、端末経由で該視聴者が認証／番組表配布サーバにより認証される手段と、該認証／番組表配布サーバが配布する該番組表の視聴継続情報を受信する手段と、該端末上で該視聴者が該番組表を見て一時停止番組の再視聴を要求する継続オン信号を該認証／番組表配布サーバに送信する手段と、該端末が該認証／番組表配布サーバより送信された転送指示情報を受信する手段と、該継続オン信号に対応する保持情報にもとづきコンテンツを該当する一時停止位置より再生配信する配信ルート及び該保持情報にもとづく録画再生方法を該端末が録画再生サーバヘ指示する手段と、該録画再生サーバが該端末に該一時停止の位置からはじまる該コンテンツを該保持情報にもとづき再開ストリームにて再生転送する該再開ストリームを受信する手段と、を備えることを特徴とする。
【００２４】
第１７の発明は、第５の発明のライブコンテンツの視聴継続システム又は第６の発明のライブコンテンツの視聴継続の方法における端末装置であって、ライブコンテンツストリーミングサービスを受信する手段と、ライブコンテンツストリーミングの受信中に中断乃至一時停止時にはユーザＩＤと該コンテンツのＩＤと番組名、視聴時間、番組残時間と一時停止位置と画像表示方式に関わる画面サイズや画面品質情報と通信方式に関わるデータ受信性能情報を含む保持情報データを作成する手段と、該保持情報を該ライブコンテンツサーバに送出する手段と、再度該ライブコンテンツサービスに端末経由でログインする手段と、該端末が番組表の取得の要求をする手段と、該視聴者が認証／番組表配布サーバにより認証される手段と、該認証／番組表配布サーバが配布する該番組表の視聴継続情報を受信する手段と、該端末上で該視聴者が該番組表を見て一時停止番組の再視聴を要求する継続オン信号を送信する手段と、該端末が該認証／番組表配布サーバより送信された転送指示情報を受信する手段と、該継続オン信号に対応する保持情報にもとづきコンテンツを該当する一時停止位置より再生配信する配信ルート及び該保持情報にもとづく録画再生方法を該端末が録画再生サーバヘ指示する手段と、該録画再生サーバが該端末に該一時停止の位置からはじまる該コンテンツを該保持情報にもとづき再開ストリームにて再生転送する該再開ストリームを受信する手段と、を備えることを特徴とする。
【００２５】
第１８の発明は、第１４又は１５の発明の認証／番組表配布サーバ装置であって、番組表の指定コンテンツのメニュー画面上に、一時停止した時点より前の複数のシーンに関する情報を時系列に沿って表示する手段と、視聴者に該画面上で好みの時系列を指示させる手段と、を備え、該時系列上の特定時点より再生コンテンツを視聴可能とすることを特徴とする。
【００２６】
第１９の発明は、第７又は９の発明のライブコンテンツサーバ装置であって、視聴継続ファイルに保持している保持情報に関して保持開始した時刻から一定時間経過しても、該コンテンツの視聴再開のアクセスが認証／番組表配布サーバ経由でない場合には該保持情報を削除する手段を備えることを特徴とする。
【００２７】
第２０の発明は、第１０又は１２の発明のミラーサーバ装置であって、視聴継続ファイルに保持している保持情報に関して保持開始した時刻から一定時間経過しても、該コンテンツの視聴再開のアクセスが認証／番組表配布サーバ経由でない場合には該保持情報を削除する手段を備えることを特徴とする。
【００２８】
第２１の発明は、第２、４又は６の発明のライブコンテンツの視聴継続の方法を実現するコンピュータプログラムであって、第２、４又は６の発明の各ステップをコンピュータに実行させるためのプログラムである。
【００２９】
第２２の発明は、第７乃至２０の発明のうちいずれか１つの発明の各手段としてコンピュータを機能させるためのプログラムである。
【発明の効果】
【００３０】
ライブコンテンツ視聴中に受信端末を変更し、それに伴い配信ルートが変わっても、中断位置から継続したライブコンテンツの視聴が可能である。見たい場面を逃さずに準リアルタイムにライブコンテンツを全て視聴可能なため、視聴者は大変便利になり、視聴率の向上につながる。外出の場合に録画機能が充分でない軽い携帯端末が使用される場合でも、外出中のライブコンテンツの継続視聴が可能となる。ライブコンテンツ一時停止状態及びライブコンテンツ録画を網側で保持することにより、視聴者が見たい時に番組を即座に簡易に再開できるため、利便性が向上し、利用率向上の一因になる。ライブコンテンツサーバと端末の区間でなんらかの要因でライブコンテンツストリームが中断された場合にも、本機能を使用することにより中断時点からの該ライブコンテンツの継続視聴が可能となり、ライブコンテンツサービスの品質の向上につながる。
【発明を実施するための最良の形態】
【００３１】
本発明を実施するための最良の形態は、ＩＰ通信網とコンテンツを配信するコンテンツ配信網とアクセスライン網とライブコンテンツサーバと該ライブコンテンツサーバと同等の機能をもつミラーサーバとライブコンテンツを録画再生する録画再生サーバと認証／番組表配布サーバと視聴者の端末とを含む情報通信システムにおいて、視聴者の端末がライブコンテンツサービスにログインしてライブコンテンツサーバ又はミラーサーバからライブコンテンツを受信し、録画再生サーバは該ライブコンテンツを録画し、該視聴者の該端末が該受信中に視聴の中断乃至一時停止をし該ライブコンテンツサーバ又はミラーサーバのサービスから一旦ログオフした後、該視聴者の該端末が再度該ライブコンテンツサービスにログインし同一コンテンツの継続視聴を可能とするシステムであって、中断乃至一時停止時には終了保存指示信号が該視聴者の端末から該ライブコンテンツサーバ又はミラーサーバに送信され、該ライブコンテンツサーバ又はミラーサーバは該終了保存指示信号の受信を契機に該ライブコンテンツの配信を停止し、該コンテンツのＩＤ、番組名、視聴時間、番組残時間と該視聴者のユーザＩＤを含む端末情報と一時停止位置とを含む保持情報データを作成し視聴継続ファイルに記録保持し、該視聴者の端末が再度該ライブコンテンツサービスにログインし、該視聴者の該端末が認証／番組表配布サーバの番組表で継続番組メニューを選択し、該視聴者が該認証／番組表配布サーバにより認証された後、該認証／番組表配布サーバが該ユーザＩＤをキーとして保持情報の有無をライブコンテンツサーバ及びミラーサーバに問い合わせ、該問い合わせを受けたライブコンテンツサーバ及びミラーサーバが保持情報保持の有無及び該保持情報を該認証／番組表配布サーバに転送通知し、該認証／番組表配布サーバが番組表に一時停止番組有り及び該保持情報の内容であるコンテンツＩＤ、番組名、前回視聴日時、視聴時間、番組残時間を含む一時停止番組の詳細を記載して更新し、該認証／番組表配布サーバより転送された更新後の該番組表から一時停止番組である該ライブコンテンツの再開を該視聴者の該端末が選択した場合には、認証／番組表配布サーバから該視聴者の該端末が録画配信サーバヘの接続情報及び一時停止位置よりの番組を再開させる為の情報を取得し、該視聴者の該端末は前出情報を継続オン信号として該録画再生サーバに送出し、該継続オン信号に含まれる該保持情報を基に該コンテンツを該当する一時停止位置より配信するよう該録画再生サーバに指示し、該録画再生サーバが該視聴者の該端末に該一時停止位置からはじまる該コンテンツを再開ストリームとして再生転送し、該視聴者の該端末が該コンテンツの継続的ストリームを受信するライブコンテンツの視聴継続システムである。
【００３２】
図１は従来技術による通常のライブコンテンツサービスの例を示す図であり、図２は視聴者端末が終了保存指示信号を送信する実施例１システムの概要図であり、図３は視聴者端末が終了保存指示信号を送信し、ライブコンテンツサーバは保持情報を作成し即時転送する実施例２システムの概要図であり、図４は視聴者端末が保持情報を作成転送し、ライブコンテンツサーバは該保持情報を視聴継続ファイルに蓄積あるいは即時転送する実施例３システムの概要図であり、図５は端末情報と保持情報と継続オン信号等の例であり、図６は実施例１のフローチャート、図７は実施例２のフローチャート、図８は実施例３のフローチャート、図９は実施例４のフローチャートで保持情報タイムアウト機能の説明図であり、図１０は実施例５のフローチャート、図１１は実施例６のシステムフローチャートであり、図１２は実施例７のフローチャートであり、図１３はライブコンテンツサーバの構成図であり、図１４はライブコンテンツサーバ自動モード切替機能付加−の構成図であり、図１５は認証／番組表配布サーバの構成図である。
【００３３】
従来技術の図１において端末６は認証／番組表配布サーバ５による認証の後、番組表から視聴したい番組のコンテンツを指示してライブコンテンツサーバ３０に配信要求のアクセスをして、ライブコンテンツサーバ３０がライブコンテンツのストリーミングサービスをする。ライブコンテンツ視聴中に視聴者が視聴を中断する場合には端末６の録画機能を用いて録画して戻ってきてから中断場面からの設定をした後に視聴を行う必要があり、視聴者が見たい時に番組を即座に簡易に再開することは難しかった。ライブコンテンツ視聴中に外出する場合にそのような録画機能のない受信端末に変更せざるを得ない場合には中断位置から継続したライブコンテンツの視聴が不可能であった。視聴者が一旦ライブコンテンツ視聴の中断後に従来技術のライブコンテンツ録画再生サーバ４０にアクセスしても、自動的に一時停止位置からの継続視聴は不可能であった。
【実施例】
【００３４】
図２の実施例１のシステムにおいて視聴者の大画面固定端末６は、固定通信網であるアクセスライン網２ａ、エッジノード装置１０ａ、ＩＰ通信網１、そしてエッジノード装置１０ｄを経由してライブコンテンツサーバ３に接続してライブコンテンツの配信サービスを受けている（図２の［１］）。録画再生サーバ４は端末６が認証後に受ける該配信サービスの開始と同時に該ライブコンテンツの録画蓄積を行っている。視聴中に該視聴者が所用で外出する場合、該ライブコンテンツのストリーミング映像表示を中止して終了保存指示信号を作成してライブコンテンツサーバ３に送信してから端末６での視聴を終了する。該終了保存指示信号にはユーザＩＤを含む端末情報が含まれている。ライブコンテンツサーバ３は該終了保存指示信号の受信を契機に該ライブコンテンツの配信を停止し、該コンテンツのＩＤとユーザＩＤ、番組名、視聴時間、番組残時間を含む端末情報と一時停止位置とを含む該保持情報データを作成し視聴継続ファイル３１（図１３参照）に記録保持する。該視聴者が外出中に別の地点に設置の固定端末７からアクセスライン網２ｂ、エッジノード装置１０ｂ、ＩＰ通信網１、そしてエッジノード装置１０ｅを経由して認証／番組表配布サーバ５に接続する。端末７を使用する該視聴者が認証／番組表配布サーバ５により認証された後、認証／番組表配布サーバ５が該ユーザＩＤをキーとして該視聴者に関する保持情報の有無をライブコンテンツサーバ３に問い合わせ、ライブコンテンツサーバ３が保持情報保持の有無及び該保持情報を認証／番組表配布サーバ５に転送通知し、認証／番組表配布サーバ５が番組表に一時停止番組有りを記載して更新し、認証／番組表配布サーバ５より転送された更新後の該番組表から一時停止番組である該ライブコンテンツの再開を端末７が選択した場合には、認証／番組表配布サーバ５から端末７が録画配信サーバ４への接続情報及び一時停止位置よりの番組を再開させる為の情報を取得し、端末７は前出情報を継続オン信号として録画再生サーバ４に送出し、該継続オン信号に含まれる該保持情報を基に該コンテンツを該当する一時停止位置より配信するよう録画再生サーバ４に指示し、録画再生サーバ４が端末７に該一時停止位置からはじまる該コンテンツを再開ストリームとして再生転送し（図２の［２］）、端末７上で該コンテンツの継続的ストリーム受信が可能となる。
【００３５】
次に図６の実施例１のフローチャートにより詳細なシステムの動作手順を説明する。
ステップ１：視聴者は端末６からライブコンテンツサービスにログインして番組情報を取得する。
ステップ２：認証／番組表配布サーバ５が番組情報を端末６に配信する。
ステップ３：視聴者は端末６から番組を選択して視聴を要求する。
ステップ４：認証／番組表配布サーバ５が端末６に認証情報を要求する。
ステップ５：視聴者は端末６から認証情報を送信する。
ステップ６：認証／番組表配布サーバ５が端末６を介し視聴者を認証する。
ステップ７：認証／番組表配布サーバ５が端末６に配信接続先を通知する。
ステップ８：端末６は配信先であるライブコンテンツサーバ３に接続する。
ステップ９：ライブコンテンツサーバ３がライブコンテンツの配信を開始する。
ステップ１０：視聴者は端末６上で該ライブコンテンツの視聴を開始する。
ステップ１１：録画再生サーバ４はステップ９の配信開始の時刻より、該ライブコンテンツの録画蓄積を始める。
ステップ１２：視聴者は端末６上での該ライブコンテンツのストリーミング映像表示を停止して終了保存指示信号を該ライブコンテンツサーバ３に送信する。
ステップ１３：ライブコンテンツサーバ３は終了保存指示信号を受信し、端末６へのライブコンテンツストリームを停止する。
ステップ１４：保持情報（含むユーザＩＤ、コンテンツＩＤ，一時停止位置、端末６の情報通信端末機能情報）を作成し視聴継続ファイル３１（図１３参照）に保存する。
ステップ１５：視聴者は端末６上での視聴を終了する。
ステップ１６：該視聴者は移動後端末６を端末７に変更してライブコンテンツサービスに再度ログインする。
ステップ１７：認証／番組表配布サーバ５は端末７に番組情報を配信する。
ステップ１８：端末７は継続番組メニューを選択し、継続番組情報を要求する。
ステップ１９：認証／番組表配布サーバ５は端末７に認証情報を要求する。
ステップ２０：端末７が認証情報を認証／番組表配布サーバ５に送信する。
ステップ２１：認証／番組表配布サーバ５が端末７を介し視聴者を認証する。
ステップ２２：認証／番組表配布サーバ５は端末７を介し視聴者を認証後、ライブコンテンツサーバ３にユーザＩＤをキーとしてライブコンテンツ一時停止の保持情報の有無を問い合わせる。
ステップ２３：ライブコンテンツサーバ３はライブコンテンツ一時停止の保持情報の有無を認証／番組表配布サーバ５に回答し、該当する保持情報を認証／番組表配布サーバ５に通知する。
ステップ２４：認証／番組表配布サーバ５は保持情報を受信し、コンテンツＩＤ、番組名、前回視聴日時、視聴時間、番組残時間を記載した番組表と継続配信接続先を端末７に通知する。
ステップ２５：該視聴者は端末７上で当該一時停止番組を選択して継続視聴を要求する継続オン信号を作成し、録画再生サーバ４に送信する。
ステップ２６：録画再生サーバ４は継続オン信号を受信し、録画蓄積しているライブコンテンツ番組を該当位置から端末７に対してストリーミング再生転送配信を開始する。
ステップ２７：端末７は該コンテンツを一時停止位置より継続してストリーミング受信する。
ステップ２８：認証／番組表配布サーバ５はライブコンテンツサーバ３に保持情報の受信応答を送信する。
ステップ２９：ライブコンテンツサーバ３は認証／番組表配布サーバ５からの受信応答を受けて保持情報を視聴継続ファイル３１（図１３参照）より削除する。
【００３６】
以上の実施例１の説明では、端末６はまずライブコンテンツサーバ３からライブコンテンツの配信を受けるとして説明したが、最寄のミラーサーバ２３ａから配信を受ける場合でもシステムは全く同様に機能する。
【００３７】
図３の実施例２のシステムでは端末６にライブコンテンツの配信サービスをしていたライブコンテンツサーバ８は端末６から終了保存指示信号を受信すると、該受信を契機に該ライブコンテンツの配信を停止し、該コンテンツのＩＤ、番組名、視聴時間、番組残時間とユーザＩＤを含む端末情報と一時停止位置とを含む保持情報データを作成し、該保持情報データを認証／番組表配布サーバ５に自動転送する。実施例２のシステムにおいて視聴者の大画面固定端末６は、固定通信網であるアクセスライン網２ａ、エッジノード装置１０ａ、ＩＰ通信網１、そしてエッジノード装置１０ｄを経由してライブコンテンツサーバ８に接続してライブコンテンツの配信サービスを受けている（図３の［１］）。録画再生サーバ４は端末６が認証後に受ける該配信サービスの開始と同時に該ライブコンテンツの録画蓄積を行っている。該視聴者が該コンテンツを視聴中に、該ライブコンテンツのストリーミング映像表示を中止して終了保存指示信号を作成してライブコンテンツサーバ８に送信してから端末６での視聴を終了する。該終了保存指示信号にはユーザＩＤを含む端末情報が含まれている。ライブコンテンツサーバ８は該終了保存指示信号の受信を契機に該ライブコンテンツの配信を停止し、該コンテンツのＩＤとユーザＩＤ、番組名、視聴時間、番組残時間を含む端末情報と一時停止位置とを含む該保持情報データを作成し、認証／番組表配布サーバ５に自動転送する。認証／番組表配布サーバ５は番組表に一時停止番組有り及び該保持情報の内容であるコンテンツＩＤ、番組名、前回視聴日時、視聴時間、番組残時間を含む一時停止番組の詳細を記載して更新し、該視聴者が外出中に別の地点に設置の固定端末７からアクセスライン網２ｂ、エッジノード装置１０ｂ、ＩＰ通信網１、そしてエッジノード装置１０ｅを経由して認証／番組表配布サーバ５に接続する。端末７を使用する該視聴者が認証／番組表配布サーバ５により認証された後、認証／番組表配布サーバ５より転送された更新後の該番組表から一時停止番組である該ライブコンテンツの再開を端末７が選択した場合には、認証／番組表配布サーバ５から端末７が録画配信サーバ４への接続情報及び一時停止位置よりの番組を再開させる為の情報を取得し、端末７は前出情報を継続オン信号として録画再生サーバ４に送出し、該継続オン信号に含まれる該保持情報を基に該コンテンツを該当する一時停止位置より配信するよう録画再生サーバ４に指示し、録画再生サーバ４が端末７に該一時停止位置からはじまる該コンテンツを再開ストリームとして再生転送し（図３の［２］）、端末７上で該コンテンツの継続的ストリーム受信が可能となる。
【００３８】
次に図７の実施例２のフローチャートにより詳細なシステムの動作手順を説明する。
ステップ１〜ステップ７及びステップ１６〜ステップ２１は前出の実施例１と同じである。ステップ７を受け継いでステップ３０が機能する。
ステップ３０：端末６は配信先であるライブコンテンツサーバ８に接続する。
ステップ３１：ライブコンテンツサーバ８がライブコンテンツの配信を開始する。
ステップ３２：録画再生サーバ４はステップ３１の配信開始の時刻より、該ライブコンテンツの録画蓄積を始める。
ステップ３３：視聴者は端末６上で該ライブコンテンツの視聴を開始する。
ステップ３４：視聴者は端末６上での該ライブコンテンツのストリーミング映像表示を停止して終了保存指示信号を該ライブコンテンツサーバ８に送信する。
ステップ３５：ライブコンテンツサーバ８は終了保存指示信号を受信し、端末６へのライブコンテンツストリームを停止する。
ステップ３６：ライブコンテンツサーバ８は保持情報（含むユーザＩＤ、コンテンツＩＤ，一時停止位置、視聴日時、端末６の情報通信端末機能情報）を作成し認証／番組表配布サーバ５に自動転送する。
ステップ３７：認証／番組表配布サーバ５は該保持情報を受信し、コンテンツＩＤ、番組名、前回視聴日時、視聴時間、番組残時間を記載した番組表を作成する。
ステップ３８：視聴者は端末６上での視聴を終了する。
実施例１と同様にステップ１６〜ステップ２１が行われる。
ステップ３９：認証／番組表配布サーバ５はコンテンツＩＤ、番組名、前回視聴日時、視聴時間、番組残時間を記載した番組表と継続配信接続先を端末７に通知する。
ステップ４０：該視聴者は端末７上で当該一時停止番組を選択して継続視聴を要求する継続オン信号を作成し、録画再生サーバ４に送信する。
ステップ４１：録画再生サーバ４は継続オン信号を受信し、録画蓄積しているライブコンテンツ番組を該当位置から端末７に対してストリーミング再生転送配信を開始する。
ステップ４２：端末７は該コンテンツを一時停止位置より継続してストリーミング受信する。
【００３９】
以上の実施例２の説明では、端末６はまずライブコンテンツサーバ８からライブコンテンツの配信を受けるとして説明したが、最寄のミラーサーバ２８ａから配信を受ける場合でもシステムは全く同様に機能する。
【００４０】
図４の実施例３のシステムにおいて、第２の固定端末６１はライブコンテンツサーバ９からコンテンツを視聴中に視聴の中断乃至一時停止をし該コンテンツのＩＤ、番組名、視聴時間、番組残時間とユーザＩＤを含む端末情報と一時停止位置とを含む保持情報を作成してライブコンテンツサーバ９に転送し、ライブコンテンツサーバ９は該保持情報の受信を契機に該ライブコンテンツの配信を停止し、該保持情報データを視聴継続ファイル９１（図１４参照）に記録保持し、あるいは自動モード切替機能により該保持情報データを第２の固定端末６１から受信後認証／番組表配布サーバ５へ自動転送する。
【００４１】
該視聴者が再度該ライブコンテンツサービスにログインし、該視聴者は認証／番組表配布サーバ５の番組表で継続番組メニューを選択し、該視聴者が該認証／番組表配布サーバ５により認証された後、認証／番組表配布サーバ５が該ユーザＩＤをキーとして保持情報の有無をライブコンテンツサーバ９に問い合わせ、該問い合わせを受けたライブコンテンツサーバ９が保持情報保持の有無及び該保持情報を認証／番組表配布サーバ５に転送通知し、認証／番組表配布サーバ５が番組表に一時停止番組有り及び該保持情報の内容であるコンテンツＩＤ、番組名、前回視聴日時、視聴時間、番組残時間を含む一時停止番組の詳細を記載して更新し、該認証／番組表配布サーバより転送された更新後の該番組表から一時停止番組である該ライブコンテンツの再開を端末７１が選択した場合には、認証／番組表配布サーバ５から端末７１が録画配信サーバヘの接続情報及び一時停止位置よりの番組を再開させる為の情報を取得し、端末７１は前出情報から継続オン信号を作成して該録画再生サーバ４に送出して該継続オン信号に含まれる該保持情報を基に該コンテンツを該当する一時停止位置より配信するよう該録画再生サーバ４に指示し、該録画再生サーバ４が端末７１に該一時停止位置からはじまる該コンテンツを再開ストリームとして再生転送し、該視聴者の端末７１上で該コンテンツの継続的ストリーム受信が可能となる。そしてあるいはライブコンテンツサーバ９は該保持情報データを自動モード切替機能により該認証／番組表配布サーバ５へ自動転送し、該認証／番組表配布サーバ５は番組表に一時停止番組有り及び該保持情報の内容であるコンテンツＩＤ、番組名、前回視聴日時、視聴時間、番組残時間を含む一時停止番組の詳細を記載して更新し、該視聴者が再度該ライブコンテンツサービスにログインし、該視聴者が認証／番組表配布サーバ５の該番組表で継続番組メニューを選択し、該視聴者が該認証／番組表配布サーバ５により認証された後該認証／番組表配布サーバより転送された更新後の該番組表から一時停止番組である該ライブコンテンツの再開を選択した場合には、該認証／番組表配布サーバ５から端末７１が録画配信サーバヘの接続情報及び一時停止位置よりの番組を再開させる為の情報を取得し、端末７１は前出情報から継続オン信号を作成して該録画再生サーバ４に送出し、該継続オン信号に含まれる該保持情報を基に該コンテンツを該当する一時停止位置より配信するよう録画再生サーバ４に指示し、録画再生サーバ４が端末７１に該一時停止位置からはじまる該コンテンツを再開ストリームとして再生転送し、端末７１上で該コンテンツの継続的ストリーム受信が可能となる。
【００４２】
次に図８の実施例３のフローチャートにより詳細なシステムの動作手順を説明する。
ステップ５１：視聴者は端末６１からライブコンテンツサービスにログインして番組情報を取得する。
ステップ５２：認証／番組表配布サーバ５が番組情報を端末６に配信する。
ステップ５３：視聴者は端末６１から番組を選択して視聴を要求する。
ステップ５４：認証／番組表配布サーバ５が端末６１に認証情報を要求する。
ステップ５５：視聴者は端末６１から認証情報を送信する。
ステップ５６：認証／番組表配布サーバ５が端末６１を介し視聴者を認証する。
ステップ５７：認証／番組表配布サーバ５が端末６１に配信接続先を通知する。
ステップ５８：端末６１は配信先であるライブコンテンツサーバ９に接続する。
ステップ５９：ライブコンテンツサーバ９がライブコンテンツの配信を開始する。
ステップ６０：視聴者は端末６１上で該ライブコンテンツの視聴を開始する。
ステップ６１：録画再生サーバ４はステップ５９の配信開始の時刻より、該ライブコンテンツの録画蓄積を始める。
ステップ６２：視聴者は端末６１上での該ライブコンテンツのストリーミング映像表示を停止して終了保存指示信号を該ライブコンテンツサーバ９に送信する。
ステップ６３：ライブコンテンツサーバ９は終了保存指示信号を受信し、端末６１へのライブコンテンツストリームを停止する。
ステップ６４−１：ライブコンテンツサーバ９は保持情報（含むユーザＩＤ、コンテンツＩＤ、一時停止位置、端末６の情報通信端末機能情報）を作成し視聴継続ファイル９１（図１４参照）に保存する。
ステップ６４−２：ライブコンテンツサーバ９は自動モード切替機能により保持情報を認証／番組表配布サーバ５に自動転送する。
ステップ６５：視聴者は端末６１上での視聴を終了する。
ステップ６６：該視聴者は移動後端末６１を端末７１に変更してライブコンテンツサービスに再度ログインし、番組情報を要求し取得する。
ステップ６７：認証／番組表配布サーバ５は端末７１に番組情報を配信する。
ステップ６８：端末７１は継続番組メニューを選択し、継続番組情報を要求する。
ステップ６９：認証／番組表配布サーバ５は端末７１に認証情報を要求する。
ステップ７０：端末７１が認証情報を認証／番組表配布サーバ５に送信する。
ステップ７１：認証／番組表配布サーバ５が端末７１を介し該視聴者を認証する。
ステップ７２：認証／番組表配布サーバ５は端末７１を介し該視聴者を認証後、ライブコンテンツサーバ９にユーザＩＤをキーとしてライブコンテンツ一時停止の保持情報の有無を問い合わせる。
ステップ７３：ライブコンテンツサーバ９はライブコンテンツ一時停止の保持情報の有無を認証／番組表配布サーバ５に回答し、該当する保持情報を認証／番組表配布サーバ５に通知する。
ステップ７４：認証／番組表配布サーバ５は保持情報を受信し、コンテンツＩＤ、番組名、前回視聴日時、視聴時間、番組残時間を記載した番組表と継続配信接続先を端末７１に通知する。
ステップ７５：該視聴者は端末７１上で当該一時停止番組を選択して継続視聴を要求する継続オン信号を作成し、録画再生サーバ４に送信する。
ステップ７６：録画再生サーバ４は継続オン信号を受信し、録画蓄積しているライブコンテンツ番組を該当位置から端末７１に対してストリーミング再生転送配信を開始する。
ステップ７７：端末７１は該コンテンツを一時停止位置より継続してストリーミング受信する。
ステップ７８：認証／番組表配布サーバ５はライブコンテンツサーバ９に保持情報の受信応答を送信する。
ステップ７９：ライブコンテンツサーバ９は認証／番組表配布サーバ５からの受信応答を受けて保持情報を視聴継続ファイル９１（図１４参照）より削除する。
【００４３】
以上の実施例３の説明では、端末６１はまずライブコンテンツサーバ９からライブコンテンツの配信を受けるとして説明したが、最寄のミラーサーバ２９ａから配信を受ける場合でもシステムは全く同様に機能する。
【００４４】
図９は実施例４のフローチャート−保持情報タイムアウト機能−である。ライブコンテンツミラーサーバ２３ａの視聴継続ファイル２３１ａ（図示していない）に保持している保持情報に関して保持開始した時刻から一定時間経過しても、該保持情報に含まれるコンテンツＩＤに対応するコンテンツの視聴再開のアクセスが認証／番組表配布サーバ５経由でない場合には該保持情報を削除する。ミラーサーバであるライブコンテンツミラーサーバ２３ｂ、２３ｃ及びライブコンテンツサーバ３と、ライブコンテンツサーバ９とそのミラーサーバであるライブコンテンツミラーサーバ２９ａ、２９ｂ、２９ｃに保持される保持情報に関しても同様である。次に図９により詳細なシステムの動作手順を説明する。本図ではミラーサーバであるライブコンテンツミラーサーバ２３ａの機能について記述してあるがライブコンテンツサーバ３、９あるいはライブコンテンツミラーサーバ２３ｂ、２３ｃ、２９ａ、２９ｂ、２９ｃについても同様な機能を保持する。また本図では端末６が保持情報信号を作成してライブコンテンツミラーサーバ２３ａに転送し視聴継続ファイル２３１ａ（図示していない）に保存される場合について記述してあるが、端末６が終了保持信号をライブコンテンツサーバ３に転送し、ライブコンテンツサーバ３が保持情報信号を作成して視聴継続ファイル３１（図１３参照）に保存する場合（実施例１、３参照）についても同様な機能により該保持情報が一定時間経過してもアクセスなしの場合には削除される。
ステップ８０：視聴者は端末６からライブコンテンツサービスにログインする。
ステップ８１：認証／番組表配布サーバ５が端末６を介し視聴者を認証する。
ステップ８２：ライブコンテンツサーバ２３ａがライブコンテンツの配信を開始する。
ステップ８３：視聴者はライブコンテンツミラーサーバ２３ａにアクセスし端末６上で該ライブコンテンツの視聴を開始する。
ステップ８４：視聴者は端末６上での該ライブコンテンツのストリーミング映像表示を停止して保持情報信号をライブコンテンツミラーサーバ２３ａに送信する。
ステップ８５：視聴者は端末６上での視聴を終了する。
ステップ８６：録画再生サーバ４はステップ３の配信開始の時刻より、該ライブコンテンツの録画蓄積を始める。
ステップ８７：ライブコンテンツミラーサーバ２３ａは保持情報信号を受信し、端末６へのライブコンテンツストリーム配信を停止する。
ステップ８８：ライブコンテンツミラーサーバ２３ａは保持情報信号（含むユーザＩＤ、コンテンツＩＤ、一時停止位置、端末６の情報通信端末機能情報）を視聴継続ファイル２３１ａ（図示していない）に保存する。
ステップ８９：ライブコンテンツミラーサーバ２３ａは視聴継続ファイル２３１ａ（図示していない）に保持するユーザＩＤ、コンテンツＩＤへのアクセスを待つ。
ステップ９０：ステップ８９の状態で時間Ｔ０経過したか？  経過したらステップ９１へ、経過していなければステップ８９へ。
ステップ９１：ライブコンテンツミラーサーバ２３ａは該保持情報信号を廃棄する。
【００４５】
図５に端末情報と終了保存指示信号と保持情報と継続オン信号の構成例を表示する。端末情報は視聴者である利用者のユーザＩＤと通信方式と画像表示方式などの情報を端末情報ヘッダーでカプセリングして使用され、終了保存指示信号はユーザＩＤなどを終了保存指示信号ヘッダーでカプセリングして使用され、保持情報は該端末情報とコンテンツＩＤと一時停止位置と番組名と視聴時間と番組残時間を保持情報ヘッダーでカプセリングして使用され、継続オン信号はユーザＩＤと保持情報などとを継続オン信号ヘッダーでカプセリングして使用される。
【００４６】
以上実施例１から実施例３のフローチャート図６〜８では録画再生ストリーミングの配信ルートは、録画再生サーバ４から直接視聴者の端末７乃至７１が受信するものであったが、最適な配信ルートとして途中ミラーサーバが中継転送するのが望ましい場合もある。図１０の実施例５のフローチャートでは、ミラーサーバ２３ｃが中継転送するステップ９５が機能しており、図１１の実施例６のフローチャートでは、ミラーサーバ２８ｃが中継転送するステップ９７が機能しており、図１２の実施例７のフローチャートでは、ミラーサーバ２９ｃが中継転送するステップ９９が機能している。
【００４７】
図１３はライブコンテンツサーバの機能構成図であり、ライブコンテンツサーバ３について例示してあるが、ライブコンテンツサーバ９、ライブコンテンツミラーサーバ２３ａ〜２３ｃ、ライブコンテンツミラーサーバ２８ａ〜２８ｃ、についても同じ機能構成である。ネットワーク接続部３２を経由して外部との全ての情報データのやりとりが行われ、ライブコンテンツの提供者からのライブコンテンツはネットワーク接続部３２経由で取り込まれ一旦ライブコンテンツバッファファイル３５を経てストリーミング機能３４により視聴者に配分される。コンテンツの視聴を要求したユーザは認証データベース３６により認証された後、該コンテンツが提供される。この間のプロセス制御はステータス管理制御３３が行う。コンテンツ提供に伴う課金は課金処理部３８が行う。尚、課金処理部はライブコンテンツサーバ外に課金サーバとして設置されてもよい。
【００４８】
本発明の実施例のシステムにおけるライブコンテンツサーバ装置３の機能には、認証／番組表配布サーバにより認証された視聴者からのアクセスをネットワーク接続部３２経由で受信したステータス管理制御部３３が該アクセスに対応するライブコンテンツをライブコンテンツバッファファイル３５から取り出し配信するようストリーミング機能３４に指示する機能と、ストリーミング機能３４が該ライブコンテンツを該端末にストリーミングサービスする機能と、ステータス管理制御３３が該端末が該ライブコンテンツを視聴中に視聴を中断乃至一時停止をした時に送信する終了保存指示信号を受信する機能と、該受信を契機に保持情報作成転送機能３７が保持情報データを作成する機能と、視聴継続ファイル３１に該保持情報データを記録保持する機能と、ステータス管理制御３３が認証／番組表サーバ５からのユーザＩＤをキーとする保持情報の有無の問い合わせを受信する機能と、保持情報作成転送機能３７が該保持情報保持の有無及び該保持情報を認証／番組表配布サーバ５に転送する機能と、ステータス管理制御３３が該端末から送信される終了保存指示を受信し、作成した保持情報データを自動的に認証／番組表配布サーバ５に転送する機能とを含む。
【００４９】
図１４は実施例３で使用されるライブコンテンツサーバ装置９の機能構成図であり、図１３の諸機能に加えてステータス管理制御９３が該端末から送信される保持情報を受信して視聴継続ファイル９１に保持する機能と、ステータス管理制御９３が該端末から送信される保持情報を受信して自動的に認証／番組表配布サーバ５に転送する機能と、自動モード切替機能９９をもっており、図８のステップ６３からステップ６４−１に進むか、ステップ６４−２に進むかは自動モード切替機能９９の設定による。
【００５０】
図１５は認証／番組表サーバ５の機能構成図である。以下システムは図２の実施例１システムであるとして説明するが、他の実施例でも以下の機能に準ずる。ネットワーク接続部５１を経由して外部との全ての情報データのやりとりが行われ、本ライブコンテンツサービスの登録者の認証用データベース５３と認証機能５２により視聴者が認証される。認証済みの視聴者の端末にはライブコンテンツサーバ３あるいはそのミラーサーバであるライブコンテンツミラーサーバ２３ａあるいは２３ｂからライブコンテンツが転送される。番組表を要求した視聴者には認証した後、該番組表が提供される。この間のプロセス制御はステータス管理制御５８が行う。コンテンツ提供に伴う課金は課金処理部５９が行う。尚、課金処理部は、認証／番組表サーバ外に課金サーバとして配置されてもよい。
【００５１】
認証／番組表配布サーバ５の装置の機能には、ライブコンテンツサーバ３及びそのミラーサーバであるライブコンテンツミラーサーバ２３ａあるいは２３ｂがコンテンツ提供する端末を認証用データベース５３と認証機能５２により認証する機能と、ライブコンテンツサーバ３あるいは２３ａ、２３ｂから転送される保持情報をもとに番組表編集機能５５が番組表を保持情報有りに更新して番組表データベース５４に収容する機能と、番組表配布機能５６が認証済みの端末に番組表データベース５４から該番組表を読み出して配布する機能と、端末からの継続オン信号をステータス管理制御５８が受信する機能と、ステータス管理制御５８からの指示により保持情報問合せ機能５７が該端末の視聴者ユーザＩＤに関する保持情報の有無をライブコンテンツサーバ３及び２３ａあるいは２３ｂに問合わせる機能と、該問い合わせに対するライブコンテンツサーバ及びミラーサーバの回答をネットワーク接続部５１経由でステータス管理制御部５８が受信する機能と、該問合わせ結果によりライブコンテンツサーバ３あるいは２３ａ、２３ｂから転送される保持情報をもとに番組表編集機能５５が番組表を保持情報有りに更新して番組表データベース５４に収容する機能と、ライブコンテンツサーバ３あるいは２３ａ、２３ｂから転送される保持情報を保持情報ファイル５０に保持する機能と、ステータス管理制御５８が保持情報ファイル５０を使用して、該継続オン信号と同じユーザＩＤをもつ保持情報にもとづき該保持情報指定のコンテンツを該当する一時停止位置より再生配信するよう録画再生サーバ４に転送指示する機能が含まれる。
【００５２】
以上の説明では、物理的に一つのサーバの中に認証機能と番組表配布機能とを備えるとして説明したが、認証機能を備える認証サーバと番組表配布機能を備える番組表配布サーバとが独立してそれぞれ存在する場合であっても本発明の効果が損なわれるものではない。
【００５３】
ライブコンテンツ録画再生サーバの装置４は、ライブコンテンツサーバ３あるいはライブコンテンツミラーサーバ２３ａ、２３ｂが端末にストリーミングサービスとして提供するコンテンツを録画する機能と、その後該端末の視聴者が再度該コンテンツサービスにログインした場合に認証／番組表配布サーバ５の転送指示によりライブコンテンツ視聴中に一時中止をした位置より該録画したコンテンツを再生する機能と、該端末に該再生したコンテンツを転送する機能を含み、該録画は視聴者がコンテンツサービスにアクセスして該コンテンツの配信を受信し視聴することを契機として行う。ライブコンテンツサーバ８、９あるいはライブコンテンツミラーサーバ２８ａ〜２８ｃ、２９ａ〜２９ｃ、から構成されるシステムにおいても同様に機能する。
【００５４】
情報通信端末６は例えば家庭におかれる大画面固定情報通信端末装置であり、大型のＴＶ受像機能でＴＶ放送されるライブコンテンツを視聴している。所用で外出することになり外出先の情報通信端末７、これは固定情報通信端末装置で例えば小型のＴＶでありこれで中断したライブコンテンツを継続して視聴する、あるいは携帯ＴＶ機能を備えた情報通信端末６２、これは移動情報通信端末装置、例えばノートパソコンであるがこれにより途中の駅の待合室で継続視聴をする。例えば情報通信端末６及び７の端末機能には、ライブコンテンツストリーミングサービスを受信する機能と、ライブコンテンツストリーミングの受信中に中断乃至一時停止時にはユーザＩＤと該コンテンツのＩＤと画像表示方式に関わる画面サイズや画面品質情報と通信方式に関わるデータ受信性能情報を含む終了保存指示信号を作成する機能と、該終了保存指示信号をライブコンテンツサーバ３あるいはライブコンテンツミラーサーバ２３ａ、２３ｃに送出する機能と、再度該ライブコンテンツストリーミングサービスに端末経由でアクセスした該視聴者が認証／番組表配布サーバ５により認証される機能と、認証された該視聴者が番組表の取得の要求をする機能と、該認証／番組表配布サーバ５が該番組表を該端末に配布する機能と、該端末上で該視聴者が該番組表を見て一時停止番組の再視聴を要求する継続オン信号を該認証／番組表配布サーバ５に送信する機能と、録画再生サーバ４が該端末に該一時停止の位置からはじまる該コンテンツを該保持情報にもとづき再開ストリームにて再生転送し該端末が該再開ストリームを受信して継続視聴が可能とする機能を含んでいる。
【００５５】
更に第２の大画面固定端末６１そして第２の固定情報通信端末装置７１は視聴を中止する際に終了保存指示信号ではなく保持情報を作成して転送する。この情報通信端末の機能には、ライブコンテンツストリーミングサービスを受信する機能と、ライブコンテンツストリーミングの受信中に中断乃至一時停止時にはユーザＩＤと該コンテンツのＩＤと一時停止位置と画像表示方式に関わる画面サイズや画面品質情報と通信方式に関わるデータ受信性能情報を含む保持情報データを作成する機能と、該保持情報をライブコンテンツサーバ９あるいはライブコンテンツミラーサーバ２９ａ、２９ｂ、２９ｃに送出する機能と、再度該ライブコンテンツサービスに端末経由でアクセスした該視聴者が認証／番組表配布サーバ５により認証される機能と、認証された該視聴者が番組表の取得の要求をする機能と、該認証／番組表配布サーバ５が該番組表を該端末に配布し該端末上で該視聴者が該番組表を見て一時停止番組の再視聴を要求する継続オン信号を送信する機能と、該認証／番組表配布サーバ５が該継続オン信号を受信して該継続オン信号に対応する保持情報にもとづき該コンテンツを該当する一時停止位置より配信するよう録画再生サーバ４に転送指示し録画再生サーバ４が該端末に該一時停止の位置からはじまる該コンテンツを該保持情報にもとづき再開ストリームとして再生転送し該端末が該コンテンツの継続的ストリームを受信して継続視聴が可能とする機能が含まれる。
【００５６】
一旦視聴を中止した後、継続視聴をしようとして視聴者が認証／番組表配布サーバ５に再アクセスした場合に、認証／番組表配布サーバ５の装置は次なる技術機能を持つ。認証／番組表配布サーバ５が提供する番組表の指定コンテンツのメニュー画面情報にはコンテンツＩＤと番組名と前回視聴日時と前回視聴時間と番組残時間を表示する機能を含む。更に、一時停止情報により再生を開始する該画面上に、一時停止した時点より前の複数のシーンに関する情報を時系列に沿って表示する機能と、視聴者が該画面上で好みの時系列を指示する機能と、該時系列上の特定時点より再生コンテンツが視聴可能とする機能とを保持する。
【００５７】
さらに、メモリ資源の節約技術として、ライブコンテンツサーバ３及びミラーサーバ２３ａ、２３ｂは、視聴継続ファイル３１、２３１ａ、２３１ｂ（３１は図１３参照、２３１ａ、２３１ｂは図示していない）に保持している保持情報に関して保持開始した時刻から一定時間経過しても、該コンテンツの視聴再開のアクセスが認証／番組表配布サーバ５経由でない場合には該保持情報を削除する。
【００５８】
各実施例のライブコンテンツの視聴継続の方法を実現するコンピュータプログラムはオンラインで、あるいは磁気などによる記録媒体にて提供可能である。また、各実施例における各装置は以上に説明した各機能を実現する手段を備え、各実施例における各装置はコンピュータを該手段として機能させるコンピュータプログラムおよびコンピュータによって構成することができる。また、該コンピュータプログラムはオンラインで、あるいは個別の磁気などによる記録媒体にて提供可能である。
【００５９】
以上、本発明者によってなされた発明を、前記実施例にもとづき具体的に説明したが、本発明は、前記実施例に限定されるものではなく、その要旨を逸脱しない範囲において種々変更可能であることは勿論である。
【産業上の利用可能性】
【００６０】
映像産業の中でもデジタルＴＶ放送をはじめインターネットによるライブコンテンツサービス産業は将来の情報産業の基幹の一つをなすものと予想され、本発明の技術が適用される場面もスポーツイベントや音楽イベントや講演、会議、更には災害現場中継などにおいて映像コンテンツの活用拡大の可能性が大きく、ライブコンテンツサービス産業におけるドライピングフォースとして本発明が使用される場面が増大する可能性がある。
【図面の簡単な説明】
【００６１】
【図１】通常のライブコンテンツサービスの例
【図２】実施例１システム（視聴者端末は終了保存指示ライブコンテンツサーバは保持情報作成し視聴継続ファイルに蓄積）の概要図
【図３】実施例２システム（視聴者端末は終了保存指示、ライブコンテンツサーバは保持情報作成し即時転送）の概要図
【図４】実施例３システム（視聴者端末が保持情報作成転送、ライブコンテンツサーバは保持情報を視聴継続ファイルに蓄積あるいは即時転送）の概要図
【図５】端末情報と保持情報と継続オン信号等の例
【図６】実施例１のフローチャート
【図７】実施例２のフローチャート
【図８】実施例３のフローチャート
【図９】実施例４のフローチャート（保持情報タイムアウト機能）
【図１０】実施例５のフローチャート
【図１１】実施例６のフローチャート
【図１２】実施例７のフローチャート
【図１３】ライブコンテンツサーバの構成図
【図１４】ライブコンテンツサーバの構成図（自動モード切替機能付加）
【図１５】認証／番組表配布サーバの構成図
【符号の説明】
【００６２】
１：ＩＰ通信網
２ａ〜２ｃ：アクセスライン網
１１：コンテンツ配信網
３、８、９、３０１、３０２：本発明のライブコンテンツサーバ
３０：従来技術によるライブコンテンツサーバ
３１、９１、２３１ａ、２３１ｂ、２３１ｃ：視聴継続ファイル
３２、９２：ネットワーク接続部
３３、９３：ステータス管理制御部
３４、９４：ストリーミング機能
３５、９５：ライブコンテンツバッファファイル
３６、９６：認証データベース
３７、９７：保持情報作成転送機能
３８、９８：課金処理部
４：ライブコンテンツ録画再生サーバ
４０：従来技術によるライブコンテンツ録画再生サーバ
５：認証／番組表配布サーバ
５０：保持情報ファイル
５１：ネットワーク接続部
５２：認証機能
５３：認証データベース
５４：番組表データベース
５５：番組表編集機能
５６：番組表配布機能
５７：保持情報問合せ機能
５８：ステータス管理制御部
５９：課金処理部
６：大画面固定情報通信端末装置
６１：第２の大画面固定情報通信端末装置
６２：移動情報通信端末装置
７：固定情報通信端末装置
７１：第２の固定情報通信端末装置
１０ａ〜１０ｅ：エッジノード装置
２３ａ〜２３ｃ、２８ａ〜２８ｃ、２９ａ〜２９ｃ：ライブコンテンツミラーサーバ
９９：自動モード切替機能
【図１】
2005318250.tif 000003
【図２】
2005318250.tif 000004
【図３】
2005318250.tif 000005
【図４】
2005318250.tif 000006
【図５】
2005318250.tif 000007
【図６】
2005318250.tif 000008
【図７】
2005318250.tif 000009
【図８】
2005318250.tif 000010
【図９】
2005318250.tif 000011
【図１０】
2005318250.tif 000012
【図１１】
2005318250.tif 000013
【図１２】
2005318250.tif 000014
【図１３】
2005318250.tif 000015
【図１４】
2005318250.tif 000016
【図１５】
2005318250.tif 000017